(57)【要約】【課題】積雪している経路を避けて目的地まで行きたい、といった運転者の様々な希望などに合わせたルート検索が行われていない、という第一の課題がある。また、タイマーでオーディオ機器などからコンテンツを自動的に出力させる場合、楽しい場でレクイエムが流れる、などの場の雰囲気に合わないコンテンツが出力される可能性がある、という第二の課題がある。【解決手段】運転者の気質などに応じた運転者の運転の仕方の希望に対応した項目を入力する。そして入力された項目に基づいてルートの検索を行い、運転者の希望に沿ったルートを検索する経路検索装置を提供する。また、車が走行中の場所、出力される情報に対する搭乗者の好み、又は搭乗者間の関係や属性に応じて車の中の雰囲気に合った情報を自動的に出力する車輌内環境変化用装置を提供する。【選択図】  図２
2004212160.tif 000002
【特許請求の範囲】
【請求項１】
車輌が出発地を出発してから目的地に至るための経路又は／及び出発時間を検索する経路検索装置であって、
目的地に関する情報である目的地情報を取得する目的地情報取得部と、
出発地に関する情報である出発地情報を取得する出発地情報取得部と、
車輌の搭乗者の、運転の仕方の希望に基づく情報である運転希望情報を取得する運転希望情報取得部と、
検索に利用可能な地図情報を蓄積する地図情報蓄積部と、
前記目的地情報取得部で取得した目的地情報と、前記出発地情報取得部で取得した出発地情報と、前記運転希望情報取得部で取得した運転希望情報と、前記地図情報蓄積部に蓄積されている地図情報と、に基づいて目的地に至るための経路又は／及び出発時間を検索する希望経路検索部と、
を有する経路検索装置。
【請求項２】
車輌が出発地を出発してから目的地に至るための経路又は／及び出発時間を検索するための、サーバ装置と、情報端末と、からなる経路検索システムであって、前記サーバ装置は、
検索に利用可能な地図情報を蓄積する地図情報蓄積部と、
車輌の搭乗者に関する情報である搭乗者情報を、該搭乗者を識別するため情報である搭乗者識別情報と関連付けて蓄積する搭乗者情報蓄積部と、
搭乗者識別情報を受信する搭乗者識別情報受信部と、
前記搭乗者識別情報受信部で受信した搭乗者識別情報に基づいて取得した搭乗者情報に基づいて地図情報、又は地図情報と搭乗者情報を送信する情報送信部と、を有し、
前記情報端末は、
目的地に関する情報である目的地情報を取得する目的地情報取得部と、
出発地に関する情報である出発地情報を取得する出発地情報取得部と、
搭乗者識別情報を送信する搭乗者識別情報送信部と、
前記情報送信部において送信された地図情報、又は地図情報と搭乗者情報を受信する情報受信部と、
前記目的地情報取得部で取得した目的地情報と、前記出発地情報取得部で取得した出発地情報と、前記情報受信部で受信した地図情報、又は地図情報と搭乗者情報と、に基づいて目的地に至るまでの経路又は／及び出発時間を検索する搭乗者別経路検索部と、
を有する経路検索システム。
【請求項３】
車輌が出発地を出発してから目的地に至るための経路又は／及び出発時間を検索するための、サーバ装置と、情報端末と、からなる経路検索システムであって、前記サーバ装置は、
検索に利用可能な地図情報を蓄積する地図情報蓄積部と、
車輌の搭乗者に関する情報である搭乗者情報を、該搭乗者を識別するため情報である搭乗者識別情報と関連付けて蓄積する搭乗者情報蓄積部と、
搭乗者識別情報を受信する搭乗者識別情報受信部と、
目的地に関する情報である目的地情報を受信する目的地情報受信部と、
出発地に関する情報である出発地情報を受信する出発地情報受信部と、
前記目的地情報受信部で受信した目的地情報と、前記出発地情報受信部で受信した出発地情報と、前記搭乗者識別情報受信部で受信した搭乗者識別情報に基づいて取得した搭乗者情報と、前記地図情報蓄積部に蓄積されている地図情報と、に基づいて目的地に至るまでの経路又は／及び出発時間を検索する搭乗者別経路検索部と、
前記搭乗者別経路検索部で検索された結果の情報である検索結果情報を送信する検索結果情報送信部と、
を有し、
前記情報端末は、
目的地情報を送信する目的地情報送信部と、
出発地情報を送信する出発地情報送信部と、
搭乗者識別情報を送信する搭乗者識別情報送信部と、
前記検索結果情報送信部において送信された検索結果情報を受信する検索結果情報受信部と、
を有する経路検索システム。
【請求項４】
前記情報端末は、
車輌の走行に影響を及ぼす道路上の事象に関する情報である道路交通情報を取得する道路交通情報取得部をさらに有し、
前記搭乗者別経路検索部が、目的地情報と出発地情報と地図情報と、に加えて前記道路交通情報取得部で取得した道路交通情報に基づいて目的地に至るまでの経路又は／及び出発時間を検索する請求項２記載の経路検索システム。
【請求項５】
前記サーバ装置は、
車輌の走行に影響を及ぼす道路上の事象に関する情報である道路交通情報を取得する道路交通情報取得部をさらに有し、
前記搭乗者別経路検索部が、目的地情報と出発地情報と地図情報と、に加えて前記道路交通情報取得部で取得した道路交通情報に基づいて目的地に至るまでの経路又は／及び出発時間を検索する請求項３記載のシステム。
【請求項６】
車輌内環境を変化させるための情報を出力する車輌内環境変化用装置であって、所定の場所を識別するための情報である場所識別情報と、該所定の場所を分類するための情報である場所分類情報とを関連付けて蓄積する場所分類情報蓄積部と、
位置に関する情報である位置情報を取得する位置情報取得部と、
前記位置情報取得部で取得した位置情報に基づいて、場所分類情報蓄積部に蓄積されている場所分類情報を取得する場所分類情報取得部と、
前記場所分類情報取得部で取得した場所分類情報に基づいて、車輌内環境を変化させるための情報である環境変化情報を出力する環境変化情報出力部と、
を有する車輌内環境変化用装置。
【請求項７】
車輌内環境を変化させるための情報を出力するための、サーバ装置と、情報端末と、からなる車輌内環境変化用システムであって、
前記サーバ装置は、
所定の場所を識別するための情報である場所識別情報と、該所定の場所を分類するための情報である場所分類情報とを関連付けて蓄積する場所分類情報蓄積部と、
位置に関する情報である位置情報を受信する位置情報受信部と、
前記位置情報受信部で受信した位置情報に基づいて場所分類情報を取得する場所分類情報取得部と、
前記場所分類情報取得部で取得した場所分類情報を送信する場所分類情報送信部と、
を有し、
前記情報端末は、
場所分類情報と、車輌内環境を変化させるための情報である環境変化情報とを関連付けて蓄積する環境変化情報蓄積部と、
位置情報を送信する位置情報送信部と、
前記場所分類情報送信部において送信された場所分類情報を受信する場所分類情報受信部と、
前記場所分類情報受信部で受信した場所分類情報に基づいて環境変化情報を車輌内に出力する環境変化情報出力部と、
を有する車輌内環境変化用システム。
【請求項８】
車輌内環境を変化させるための情報を出力するための、サーバ装置と、情報端末と、からなる車輌内環境変化用システムであって、
前記サーバ装置は、
所定の場所を分類するための情報である場所分類情報と、車輌内環境を変化させるための情報である環境変化情報とを関連付けて蓄積する環境変化情報蓄積部と、
場所分類情報を受信する場所分類情報受信部と、
前記場所分類情報受信部で受信した場所分類情報に基づいて、前記環境変化情報蓄積部に蓄積されている環境変化情報を取得する環境変化情報取得部と、
前記環境変化情報取得部で取得した環境変化情報を送信する環境変化情報送信部と、
を有し、
前記情報端末は、
場所分類情報と、該所定の場所を識別するための情報である場所識別情報とを関連付けて蓄積する場所分類情報蓄積部と、
位置に関する情報である位置情報を取得する位置情報取得部と、
前記位置情報取得部で取得した位置情報に基づいて、前記場所分類情報蓄積部に蓄積されている場所分類情報を取得する場所分類情報取得部と、
前記場所分類情報取得部で取得した場所分類情報を送信する場所分類情報送信部と、
前記サーバ装置の環境変化情報送信部において送信された環境変化情報を受信する環境変化情報受信部と、
前記環境変化情報受信部で受信した環境変化情報を車輌内に出力する環境変化情報出力部と、
を有する車輌内環境変化用システム。
【請求項９】
車輌内環境を変化させるための情報を出力するための、サーバ装置と、情報端末と、からなる車輌内環境変化用システムであって、
前記サーバ装置は、
所定の場所を識別するための情報である場所識別情報と、該所定の場所を分類するための情報である場所分類情報とを関連付けて蓄積する場所分類情報蓄積部と、
場所分類情報と、車輌内環境を変化させるための情報である環境変化情報とを関連付けて蓄積する環境変化情報蓄積部と、
位置に関する情報である位置情報を受信する位置情報受信部と、
前記位置情報受信部で受信した位置情報に基づいて場所分類情報を取得する場所分類情報取得部と、
前記場所分類情報取得部で取得した場所分類情報に基づいて環境変化情報を送信する環境変化情報送信部と、
を有し、
前記情報端末は、
位置情報を送信する位置情報送信部と、
前記環境変化情報送信部において送信された環境変化情報を受信する環境変化情報受信部と、
前記環境変化情報受信部で受信した環境変化情報を車輌内に出力する環境変化情報出力部と、
を有する車輌内環境変化用システム。
【請求項１０】
車輌の現在の速度を示す情報である速度情報を取得する速度情報取得部をさらに有し、
前記環境変化情報出力部が、場所分類情報に加えて、前記速度情報取得部で取得した速度情報に基づいて環境変化情報を出力する請求項６に記載の車輌内環境変化用装置。
【請求項１１】
前記情報端末は、
車輌の現在の速度を示す情報である速度情報を取得する速度情報取得部、をさらに有し、
前記環境変化情報出力部は、場所分類情報に加えて、前記速度情報取得部で取得した速度情報に基づいて環境変化情報を車輌内に出力する請求項７に記載の車輌内環境変化用システム。
【請求項１２】
前記サーバ装置は、
車輌の現在の速度を示す情報である速度情報を受信する速度情報受信部、をさらに有し、
前記環境変化情報送信部は、場所分類情報に加えて、前記速度情報受信部で受信した速度情報に基づいて環境変化情報を送信し、
前記情報端末は、
速度情報を送信する速度情報送信部、をさらに有する請求項８、又は９に記載の車輌内環境変化用システム。
【請求項１３】
車輌内環境を変化させるための情報を出力する車輌内環境変化用装置であって、
車輌内環境に対する車輌に乗る者の好みに基づいて指定される情報である嗜好指定情報を取得する嗜好指定情報取得部と、
前記嗜好指定情報取得部で取得した嗜好指定情報に基づいて、車輌内環境を変化させるための情報である環境変化情報を出力する環境変化情報出力部と、
を有する車輌内環境変化用装置。
【請求項１４】
所定の場所を識別するための情報である場所識別情報と、該所定の場所を分類するための情報である場所分類情報とを関連付けて蓄積する場所分類情報蓄積部と、
位置に関する情報である位置情報を取得する位置情報取得部と、
前記位置情報取得部で取得した位置情報に基づいて場所分類情報を取得する場所分類情報取得部と、
をさらに有し、
前記環境変化情報出力部は、嗜好指定情報に加えて、前記場所分類情報取得部で取得した場所分類情報に基づいて環境変化情報を出力する請求項１３記載の車輌内環境変化用装置
【請求項１５】
車輌内環境を変化させるための情報を出力する車輌内環境変化用装置であって、
車輌の同乗者を識別するための識別子、同乗者の人数、同乗者の性別、同乗者の年齢又は年齢層、運転者と同乗者との関係のいずれか一又は二以上の情報である同乗者情報を取得する同乗者情報取得部と、
前記同乗者情報取得部で取得した同乗者情報に基づいて、車輌内環境を変化させるための情報である環境変化情報を出力する環境変化情報出力部と、
を有する車輌内環境変化用装置。
【請求項１６】
所定の場所を識別するための情報である場所識別情報と、該所定の場所を分類するための情報である場所分類情報とを関連付けて蓄積する場所分類情報蓄積部と、
位置に関する情報である位置情報を取得する位置情報取得部と、
前記位置情報取得部で取得した位置情報に基づいて場所分類情報を取得する場所分類情報取得部と、
をさらに有し、
前記環境変化情報出力部は、同乗者情報に加えて、前記場所分類情報取得部で取得した場所分類情報に基づいて環境変化情報を出力する請求項１５記載の車輌内環境変化用装置。
【請求項１７】
車輌が出発地を出発してから目的地に至るための経路を検索し、さらに車輌内環境を変化させるための情報を出力する車輌内環境変化用装置であって、
目的地に関する情報である目的地情報を取得する目的地情報取得部と、
出発地に関する情報である出発地情報を取得する出発地情報取得部と、
車輌の搭乗者の、運転の仕方の希望に基づく情報である運転希望情報を取得する運転希望情報取得部と、
検索に利用可能な地図情報を蓄積する地図情報蓄積部と、
前記目的地情報取得部で取得した目的地情報と、前記出発地情報取得部で取得した出発地情報と、前記運転希望情報取得部で取得した運転希望情報と、地図情報蓄積部に蓄積されている地図情報とに基づいて、目的地に到るための経路を検索する希望経路検索部と、
車輌内環境に対する車輌に乗る者の好みに基づいて指定される情報である嗜好指定情報、又は／及び車輌の同乗者を識別するための識別子、同乗者の人数、同乗者の性別、同乗者の年齢又は年齢層、運転者と同乗者との関係のいずれか一又は二以上の情報である同乗者情報を取得する搭乗者関連情報取得部と、
前記希望経路検索部での検索結果である目的地に到るための経路を示す情報である経路情報と、前記搭乗者関連情報取得部で取得した嗜好指定情報又は／及び同乗者情報とに基づいて、車輌内環境を変化させるための情報である環境変化情報を出力する環境変化情報出力部と、
を有する車輌内環境変化用装置。
【請求項１８】
前記環境変化情報が、映像・音楽（音声）・香り、室内温度、メーターや室内の照明の明るさ、照明の色、座席のマッサージ器の強弱、座席のマッサージ器の角度、窓の開閉のいずれか一又は二以上であること、を特徴とする
請求項６又は１０又は１３乃至１７のいずれか一に記載の車輌内環境変化用装置。
【請求項１９】
前記環境変化情報が、映像・音楽（音声）・香り、室内温度、メーターや室内の照明の明るさ、照明の色、座席のマッサージ器の強弱、座席のマッサージ器の角度、窓の開閉のいずれか一又は二以上であること、を特徴とする
請求項７乃至９又は１１又は１２に記載の車輌内環境変化用システム。
【発明の詳細な説明】
【０００１】
【発明の属する技術分野】
車輌の目的地までの経路を検索する技術、及び車輌内の環境を変化させる技術に関する。
【０００２】
【従来の技術】
従来、自動車を目的地までナビゲ−トするためのシステムとしては、カ−ナビゲ−ションシステムがあった。そして、このカ−ナビゲ−ションシステムは、目的地に可能な限り早く到着するために、基本的には目的地までの最短のル−トを検索し、表示する。その他に、車輌が目的地に早く着き過ぎるために起こる不必要な燃料の消費を抑えるための車輌走行制御装置が開示されている（例えば、特許文献１参照）。また、連続運転がなされた場合に休憩指示を表示するナビゲ−ション装置が開示されている（例えば、特許文献２参照）。
【０００３】
また、車輌内でオ−ディオ機器などからコンテンツを自動的に出力させるためには、設定した時刻に、例えばＣＤを再生させるタイマ−などが利用されている。
【特許文献１】
特開平１１−３９５９２号公報
【特許文献２】
特開平１１−２４８４６７号公報
【０００４】
【発明が解決しようとする課題】
しかし、車の運転者によっては、ブレ−キをできるだけ踏まずに走ることができるよう、例えば信号機の設置数が少ないル−トを通りたい運転者もいる。あるいはタイヤ用チェ−ンを持ってくるのを忘れてしまったため、積雪している経路を避けて目的地まで行きたい、と考える運転者もいる。ところが上記従来の技術では、このような運転者の様々な希望などに合わせたル−ト検索が行われていない、という第一の課題がある。
【０００５】
また、上記のようにタイマ−でオ−ディオ機器などからコンテンツを自動的に出力させる場合、場の雰囲気に合わないコンテンツが出力される可能性がある、という第二の課題がある。場の雰囲気に合わないとは、例えば、友人と楽しく騒いでいるときにレクイエムをテ−マとする曲が流れ出したり、湾岸を車で走っているときに山の歌が流れ出したり、ということである。
【０００６】
【課題を解決する手段】
上記第一の課題を解決するために、本発明では、運転者や同乗者の気質などに応じた運転の仕方の希望に対応した項目などを入力する。そして入力された項目などに基づいてル−トの検索を行い、運転者の希望に沿ったル−トを検索する経路検索装置を提供する。
【０００７】
これによりその希望に沿ったル−トが提示されることで、運転者や同乗者はストレスなどを感じないドライブを楽しむことができるようになる。
【０００８】
また、上記第二の課題を解決するために、本発明では、車が走行中の場所、出力される情報に対する搭乗者の好み、又は搭乗者間の関係や属性に応じて車の中の雰囲気に合った情報を自動的に出力する車輌内環境変化用装置を提供する。
【０００９】
これにより場の雰囲気を壊さないような、または場の雰囲気を盛り上げるような様々なコンテンツを自動的に車輌内に出力することができるようになる。
【００１０】
第一の発明における経路検索装置は、目的地情報取得部と出発地情報取得部と運転希望情報取得部と地図情報蓄積部と希望経路検索部とを有する。第一の発明におけるの経路検索装置により、運転希望情報の蓄積や取得、及びその情報に基づく経路検索が車輌で行われる。
【００１１】
第二の発明における経路検索装置は、サーバ装置と情報端末とからなる経路検索システムであって、前記サーバ装置は、地図情報蓄積部と搭乗者情報蓄積部と搭乗者識別情報受信部と情報送信部とを有し、前記情報端末は、目的地情報取得部と出発地情報取得部と搭乗者識別情報送信部と情報受信部と搭乗者別経路検索部を有する。第二の発明における経路検索装置により、例えば友人の車を借りるなどした場合でも自分の傾向に沿った経路検索が可能となる。
【００１２】
第三の発明における経路検索装置は、サーバ装置と情報端末とからなる経路検索システムであって、前記サーバ装置は、地図情報蓄積部と搭乗者情報蓄積部と搭乗者識別情報受信部と目的地情報受信部と出発地情報受信部と搭乗者別経路検索部と検索結果情報送信部とを有し、前記情報端末は、目的地情報送信部と出発地情報送信部と搭乗者識別情報送信部と検索結果情報受信部とを有する。第三の発明における経路検索装置により、情報端末が取得した目的地情報と出発地情報とをサーバ装置が受信し、サ−バ側で経路の検索を行う。そしてその検索結果をサ−バ装置から情報端末に対して送信する
【００１３】
第四の発明における経路検索装置は、サーバ装置と情報端末とからなる経路検索システムであって、前記サーバ装置は、地図情報蓄積部と搭乗者情報蓄積部と搭乗者識別情報受信部と情報送信部とを有し、前記情報端末は、目的地情報取得部と出発地情報取得部と搭乗者識別情報送信部と情報受信部と搭乗者別経路検索部と道路交通情報取得部とを有する。第四の発明における経路検索装置により、渋滞情報や通行止めなどの道路交通情報を取得して、経路検索を行う。そして、経路を検索する際に道路交通情報を加味する。
【００１４】
第五の発明における経路検索装置は、サーバ装置と情報端末とからなる経路検索システムであって、前記サーバ装置は、地図情報蓄積部と搭乗者情報蓄積部と搭乗者識別情報受信部と目的地情報受信部と出発地情報受信部と搭乗者別経路検索部と検索結果情報送信部と道路交通情報取得部を有し、前記情報端末は、目的地情報送信部と出発地情報送信部と搭乗者識別情報送信部と検索結果情報受信部とを有する。第五の発明における経路検索装置により、渋滞情報や通行止めなどの道路交通情報を取得して、経路検索を行う。そして、経路を検索の際に道路交通情報を加味し、経路検索が情報端末ではなくサ−バ装置で行われる。
【００１５】
第六の発明における車輌内環境変化用装置は、場所分類情報蓄積部と位置情報取得部と場所分類情報取得部と環境変化情報出力部とを有する。第六の発明における車輌内環境変化用装置により、場所の分類の決定及び、出力する情報の決定が車輌で行われる
【００１６】
第七の発明における車輌内環境変化用システムは、サーバ装置と情報端末とからなる車輌内環境変化用システムであって、前記サーバ装置は、場所分類情報蓄積部と位置情報受信部と場所分類情報取得部と場所分類情報送信部とを有し、前記情報端末は、環境変化情報蓄積部と位置情報送信部と場所分類情報受信部と環境変化情報出力部とを有する。第七の発明における車輌内環境変化用システムでは、場所分類情報はサ−バ装置に蓄積される
【００１７】
第八の発明における車輌内環境変化用システムは、サーバ装置と情報端末とからなる車輌内環境変化用システムであって、前記サーバ装置は、環境変化情報蓄積部と場所分類情報受信部と環境変化情報取得部と環境変化情報送信部とを有し、前記情報端末は、場所分類情報蓄積部と位置情報取得部と場所分類情報取得部と場所分類情報送信部と環境変化情報受信部と環境変化情報出力部とを有する。第八の発明における車輌内環境変化用システムにより、情報端末が車輌の現在位置の場所などの特定を行う。また、情報端末ではなくサーバ装置がその特定された場所に応じて環境変化情報を取得する。
【００１８】
第九の発明における車輌内環境変化用システムは、サーバ装置と情報端末とからなる車輌内環境変化用システムであって、前記サーバ装置は、場所分類情報蓄積部と環境変化情報蓄積部と位置情報受信部と場所分類情報取得部と環境変化情報送信部とを有し、前記情報端末は、位置情報送信部と環境変化情報受信部と環境変化情報出力部とを有する。第九の発明における車輌内環境変化用システムにより、車輌の現在位置などの場所の分類の特定と、その場所に応じた環境変化情報の取得との双方をサーバ装置が行う。
【００１９】
第十の発明における車輌内環境変化用装置は、場所分類情報蓄積部と位置情報取得部と場所分類情報取得部と環境変化情報出力部と速度情報取得部とを有する。第十の発明における車輌内環境変化用装置により、車輌の速度情報に合わせて車輌内環境を変化される。
【００２０】
第十一の発明における車輌内環境変化用システムは、サーバ装置と情報端末とからなる車輌内環境変化用システムであって、前記サーバ装置は、場所分類情報蓄積部と位置情報受信部と場所分類情報取得部と場所分類情報送信部とを有し、前記情報端末は、環境変化情報蓄積部と位置情報送信部と場所分類情報受信部と環境変化情報出力部と速度情報取得部を有する。第十一の発明における車輌内環境変化用システムにより、情報端末が、サ−バ装置より送信されてきた場所分類情報と速度情報から環境変化情報を出力する。
【００２１】
第十二の発明における車輌内環境変化用システムは、サーバ装置と情報端末とからなる車輌内環境変化用システムであって、前記サーバ装置は、環境変化情報蓄積部と場所分類情報受信部と環境変化情報取得部と環境変化情報送信部と速度情報受信部とを有し、前記情報端末は、場所分類情報蓄積部と位置情報取得部と場所分類情報取得部と場所分類情報送信部と環境変化情報受信部と環境変化情報出力部とを有し、又は、前記サーバ装置は、場所分類情報蓄積部と環境変化情報蓄積部と位置情報受信部と場所分類情報取得部と環境変化情報送信部と速度情報受信部とを有し、前記情報端末は、位置情報送信部と環境変化情報受信部と環境変化情報出力部とを有する。第十二の発明における車輌内環境変化用システムにより、環境変化情報がサ−バ装置において取得され情報端末に対して送信される。
【００２２】
第十三の発明における車輌内環境変化用装置は、嗜好指定情報取得部と環境変化情報出力部とを有する。請求項１３に記載の車輌内環境変化用装置により、同乗者の嗜好に応じた環境変化情報などが出力される
【００２３】
第十四の発明における車輌内環境変化用装置は、車輌内環境変化用装置は、嗜好指定情報取得部と環境変化情報出力部と場所分類情報蓄積部と位置情報取得部と場所分類情報取得部とを有する。第十四の発明における車輌内環境変化用装置により、同乗者の嗜好に応じた上に、現在地や目的地にも応じた環境変化情報が出力される。
【００２４】
第十五の発明における車輌内環境変化用装置は、同乗者情報取得部と環境変化情報出力部とを有する。第十五の発明における車輌内環境変化用装置により、同乗者の属性や同乗者と運転者との関係に応じて環境変化情報を出力する
【００２５】
第十六の発明における車輌内環境変化用装置は、同乗者情報取得部と環境変化情報出力部と場所分類情報蓄積部と位置情報取得部と場所分類情報取得部とを有する。第十六の発明における車輌内環境変化用装置により、目的地や現在走行中の場所に応じた環境変化情報を出力する。
【００２６】
第十七の発明における車輌内環境変化用装置は、目的地情報取得部と出発地情報取得部と運転希望情報取得部と地図情報蓄積部と希望経路検索部と搭乗者関連情報取得部と環境変化情報出力部とを有する。第十七の発明における車輌内環境変化用装置により、目的地までの経路情報と、嗜好指定情報又は及び同乗者情報に基づく環境変化情報を出力する。
【００２７】
第十八の発明における車輌内環境変化用装置は、場所分類情報蓄積部と位置情報取得部と場所分類情報取得部と環境変化情報出力部とを有し、又は、場所分類情報蓄積部と位置情報取得部と場所分類情報取得部と環境変化情報出力部と速度情報取得部とを有し、又は、嗜好指定情報取得部と環境変化情報出力部とを有する。嗜好指定情報取得部と環境変化情報出力部と場所分類情報蓄積部と位置情報取得部と場所分類情報取得部とを有し、又は、同乗者情報取得部と環境変化情報出力部とを有し、又は、同乗者情報取得部と環境変化情報出力部と場所分類情報蓄積部と位置情報取得部と場所分類情報取得部とを有し、又は、目的地情報取得部と出発地情報取得部と運転希望情報取得部と地図情報蓄積部と希望経路検索部と搭乗者関連情報取得部と環境変化情報出力部とを有する。第十八の発明における車輌内環境変化用装置により、運転者や同乗者の嗜好、あるいは同乗者の属性や運転者と同乗者との関係に応じた車輌内環境の変化を行う。
【００２８】
第十九の発明における車輌内環境変化用システムは、サーバ装置と情報端末とからなる車輌内環境変化用システムであって、前記サーバ装置は、場所分類情報蓄積部と位置情報受信部と場所分類情報取得部と場所分類情報送信部とを有し、前記情報端末は、環境変化情報蓄積部と位置情報送信部と場所分類情報受信部と環境変化情報出力部とを有し、又は、前記サーバ装置は、環境変化情報蓄積部と場所分類情報受信部と環境変化情報取得部と環境変化情報送信部とを有し、前記情報端末は、場所分類情報蓄積部と位置情報取得部と場所分類情報取得部と場所分類情報送信部と環境変化情報受信部と環境変化情報出力部とを有し、又は、前記サーバ装置は、場所分類情報蓄積部と環境変化情報蓄積部と位置情報受信部と場所分類情報取得部と環境変化情報送信部とを有し、前記情報端末は、位置情報送信部と環境変化情報受信部と環境変化情報出力部とを有し、又は、前記サーバ装置は、場所分類情報蓄積部と位置情報受信部と場所分類情報取得部と場所分類情報送信部とを有し、前記情報端末は、環境変化情報蓄積部と位置情報送信部と場所分類情報受信部と環境変化情報出力部と速度情報取得部を有し、又は、前記サーバ装置は、環境変化情報蓄積部と場所分類情報受信部と環境変化情報取得部と環境変化情報送信部と速度情報受信部とを有し、前記情報端末は、場所分類情報蓄積部と位置情報取得部と場所分類情報取得部と場所分類情報送信部と環境変化情報受信部と環境変化情報出力部とを有し、又は、前記サーバ装置は、場所分類情報蓄積部と環境変化情報蓄積部と位置情報受信部と場所分類情報取得部と環境変化情報送信部と速度情報受信部とを有し、前記情報端末は、位置情報送信部と環境変化情報受信部と環境変化情報出力部とを有する。第十九の発明における車輌内環境変化用システムにより、運転者や同乗者の嗜好、あるいは同乗者の属性や運転者と同乗者との関係に応じた車輌内環境の変化を行う。
【００２９】
【発明の実施の形態】
以下、本発明の実施の形態について、図１から図５２を用いて説明する。なお本発明はこれら実施の形態や図面によって狭く解釈されるべきものではない。
【００３０】
＜実施形態１＞
【００３１】
（実施形態１の概念）
【００３２】
図１に示すのは、本実施形態の経路検索装置によるル−ト検索を概念的に説明するための図である。この図にあるように、自動車が現在地（０１０１）から目的地（０１０２）へ向かうためのル−トが３つある。１つ目は有料の高速道路（０１０３）、２つ目は主に山間部を走る一般道（０１０４）、３つ目は湾岸沿いに敷設された一般道（０１０５）である。このとき、節約家である運転者は、目的地まで行くのにあまり費用をかけたくない、と考える。そこで運転者は、本実施形態の経路検索装置に予め設定されている項目の中から「費用をかけない」と言う項目を、目的地の情報とともに入力する。すると経路検索装置は最も費用が安くなるル−トを検索して、高速道路代もいらず、また燃費も山間部に比べてかからない経路である湾岸沿いの一般道（０１０５）をディスプレイ上に表示する。
【００３３】
このようにして運転者は、燃費や高速道路代も含めて費用をかけずに目的地まで行ける自身の希望通りの経路を知ることができる。もちろん運転者の希望だけでなく、例えばかかった費用を割り勘にする場合など、その車に同乗する者である搭乗者の希望に沿った項目が入力されても良い。
【００３４】
また図４９の（１）は、本実施形態について車輌（側で利用される装置）の有する大まかな機能を概略的に記載し説明するための図である。この図にあるように本実施形態では、運転希望情報（上記例では「費用をかけない」と言う情報）の蓄積や取得、及びその情報に基づく経路検索が車輌で行われる。
【００３５】
（実施形態１の構成）
【００３６】
図２に示すのは、本実施形態の経路検索装置の機能ブロックの一例を表す図である。この図にあるように、本実施形態の「経路検索装置」（０２００）は、「目的地情報取得部」（０２０１）と、「出発地情報取得部」（０２０２）と、「運転希望情報取得部」（０２０３）と、「地図情報蓄積部」（０２０４）と、「希望経路検索部」（０２０５）と、を有する。
【００３７】
「目的地情報取得部」（０２０１）は、目的地情報を取得する機能を有する。「目的地情報」とは、目的地に関する情報をいう。「目的地」とは、経路検索のための「終着点」となる情報であり、基本的には運転者によって指定される場所が考えられる。目的地情報は、例えば、その地名やランドマ−ク名（建造物名など）、その住所や、それらに個別に付された番号や記号、バ−コ−ド、あるいはその場所を示す緯度経度情報などが挙げられる。または、目的地への到達希望時刻であっても良い。
【００３８】
この目的地情報取得部は、例えば運転者がキ−ボ−ドやタッチパネル、バ−コ−ドリ−ダなどの入力手段により入力した目的地情報を取得する。この入力を簡便に行うために、運転者が選択可能な目的地名がディスプレイ上に表示され、上記のような入力手段によって目的地名を選択して決定ボタンで決定できるようにしてもよい。またその目的地名がアイウエオやアルファベット順に並べられディスプレイ上などに表示されると、さらに簡単に入力できるので便利である。
【００３９】
「出発地情報取得部」（０２０２）は、出発地情報を取得する機能を有する。「出発地情報」とは、出発地に関する情報である。「出発地」とは、経路検索のための「始発点」となる情報であり、例えば現在の自車輌の位置などが挙げられる。従って、「出発地情報」は、従来のカ−ナビゲ−ションシステムと同様にＧＰＳ（全地球測位システム）を利用して測定された位置情報であってもよい。あるいは現在位置ではなく、友達の家に寄る場合などにはその友達の家が出発地となっても良い。その場合は、目的地情報と同様に、該当する地名の情報などが入力され取得されてもよい。
【００４０】
この出発地情報取得部は、これらのＧＰＳによる位置情報や入力された出発地情報を取得する。
【００４１】
このようにして取得された目的地情報と出発地情報とに基づいて、この経路検索装置は（最短経路とは限らない）目的地に至るための経路を検索する。
【００４２】
「運転希望情報取得部」（０２０３）は、運転希望情報を取得する機能を有する。「運転希望情報」とは、車輌の搭乗者の、運転の仕方の希望に基づく情報をいう。ここで、図３を利用して運転希望情報の一例について説明する。
【００４３】
図３に示すのは、本実施形態の運転希望情報取得部での取得の一例を概略的に表す図である。この図にあるように、ディスプレイ上に運転希望情報を表す各項目がタッチパネルとして表示される。ここで搭乗者は、運転の仕方の希望として車の燃費がいい経路を検索して欲しければ、ディスプレイ上の「燃費がいい」というタッチパネルに触れる。それによって、運転希望情報取得部は、「燃費がいい」という搭乗者の希望を示す運転希望情報を取得する。
【００４４】
また、運転希望情報取得部が複数の運転希望情報を取得できるようにしてもよい。その場合、上記の例で説明すると、搭乗者は「燃費がいい」と「停止回数が少ない」の二つのパネルに触れた後、どちらを優先するか（３つ以上ならば優先順位はどうか）などを示す情報を入力する。あるいは、上記各項目に関して評価を行い、重み付けを行って経路を検索してもよい。各項目の評価の具体的な例としては、「評価値＝評価関数ｆ（燃費・停止回数）＝評価関数１ｆ１（燃費）＊重み１＋評価関数２ｆ２（停止回数）＊重み２」として評価値が最小（又は最大）になる経路や出発時刻を求める方法がある。
【００４５】
このようにして取得された運転希望情報に基づいて搭乗者の希望に沿う経路、例えば燃費が良く、さらに停止回数の少ない経路が検索される。
【００４６】
「地図情報蓄積部」（０２０４）は、地図情報を蓄積する機能を有する。「地図情報」とは、出発地情報や目的地情報に基づいて経路を検索する際に検索に利用可能な情報をいい、例えば、地図上の地点と関連付けられた緯度経度情報などが挙げられる。さらに運転希望情報に基づいて経路を検索する際に検索に利用可能な情報も蓄積される。運転希望情報として、例えば「燃費がいい」という項目があるならば、経路の所定の区間毎に「平均燃費の額」が関連付けられて蓄積されている。あるいは、「停止回数が少ない」であれば、経路の所定区間毎の信号の本数や、信号のある場所の緯度経度情報などが蓄積されている、といった具合である。
【００４７】
この地図情報蓄積部に蓄積されている上記各情報を元にして、本実施形態の経路検索装置は、搭乗者の希望に合った経路を検索する。
【００４８】
「希望経路検索部」（０２０５）は、目的地情報取得部（０２０１）で取得した目的地情報と、出発地情報取得部（０２０２）で取得した出発地情報と、運転希望情報取得部（０２０３）で取得した運転希望情報と、地図情報蓄積部（０２０４）に蓄積されている地図情報と、に基づいて、目的地に至るための経路又は及び出発時刻を検索する機能を有する。ここで、図４を用いて、本実施形態の希望経路検索部での目的地に至るための経路の検索について説明する。
【００４９】
図４で示すのは、地図情報蓄積部に蓄積されているデ−タベ−スの一例である。具体的には燃費に関するデ−タベ−スのうち、図１における３つの経路における燃費の部分を抜粋したものを表す図である。この図にあるように、経路を構成する区間毎に、所定の時速で走行した場合の基本燃費が予め実測されデ−タベ−ス化されている。希望経路検索部では、まず、目的地情報と出発地情報とに基づいて、目的地に至るための上記３つの経路を検索する。それから図４に示すデ−タベ−スからそれぞれの経路における予想平均燃費が「高速道路は１５ｋｍ／ｌ」、「山間部の一般道は１０ｋｍ／ｌ」、「湾岸沿いの一般道は１２ｋｍ／ｌ」と算出される。従って、運転希望情報が「燃費がいい」という希望を示す情報であった場合、この希望経路検索部では、目的地までの経路の検索結果として高速道路（図１の経路０１０３）を選択する。
【００５０】
勿論、運転希望情報によって、さまざまな情報が検索のために利用されてよい。例えば本実施形態の概念で説明したように、運転希望情報が「費用がかからない」という希望を示す情報であった場合は、上記の平均燃費のほかに、経路の道のり及びそのときの１リットル当たりのガソリン代の情報から算出されるガソリン代や、高速道路代などその他にかかる費用も加算されて経路が選択される。
【００５１】
このような希望経路検索部での検索結果に基づいて、本実施形態の経路検索装置は、搭乗者の希望に沿う経路をディスプレイなどの出力部に出力表示する。勿論検索結果の出力は、ディスプレイなどへの表示以外に、音声出力やプリントアウト、記録媒体への書き込みなどさまざまな方法で出力されてよい。
【００５２】
また、場合によっては、運転希望情報で示される希望に沿う出発時刻を算出してもよい。例えば渋滞で徐行運転をすると燃費が悪くなるので、ＶＩＣＳ（道路交通情報通信システム）から取得した渋滞情報などから、経路上の渋滞が解消される予想時刻を検索する。その検索結果から出発時刻を算出し、表示画面などに出力表示してもよい。
【００５３】
（実施形態１の処理の流れ）
【００５４】
図５に示すのは、本実施形態の経路検索装置の処理の流れの一例を表すフロ−チャ−トである。この図に示すように、まず、目的地情報を取得する（ステップＳ０５０１）。また、出発地情報を取得する（ステップＳ０５０２）。また、運転希望情報を取得する（ステップＳ０５０３）。最後に、前記ステップＳ０５０１で取得した目的地情報と、前記ステップＳ０５０２で取得した出発地情報と、前記ステップＳ０５０３で取得した運転希望情報と、予め蓄積されている地図情報と、に基づいて、目的地に至までの経路又は及び出発時刻を検索する（ステップＳ０５０４）。
【００５５】
なお、本明細書に記載する「処理の流れ」の一例は、その手順を方法、プログラム、そのプログラムを記録したコンピュ−タで読み取り可能な記録媒体、として実施することができる。また、本明細書に記載する様々な装置は、これを実現するためのプログラム、又はそのプログラムを記録したコンピュ−タで読み取り可能な記録媒体も含むものとする。（以下の実施形態における記載に関しても同様である。）
【００５６】
また、本明細書における「処理の流れ」の順番は矛盾が生じない限り入れ替わることもありうる。上記の例であれば、ステップＳ０５０２は必ずしもステップＳ０５０１の後でなくてもよいので、その順番が入れ替わってもよい。
【００５７】
（実施形態１の効果の簡単な説明）
【００５８】
このように、本実施形態の経路検索装置によって、搭乗者の運転の様々な希望に沿う経路の検索、又は及び出発時刻の検索を行うことができる。それによって、常々自動車の燃費が悪くガソリン代を抑えたいと思っていた搭乗者ならば、燃費のいい経路を運転することができる、といった具合に自身の希望に合った、満足したドライブができると考えられる。
【００５９】
（運転希望情報の例示）
【００６０】
ここで運転希望情報として考えられる搭乗者の希望の例を以下に記載する。運転希望情報は、上記挙げた「燃費を気にする／しない」や「目的地までの停止回数が少ない」のほかに、「早く目的地に着く」、「運転時間が少ない」、「目的地までの停止時間の合計が少ない」、「目的地に着くまでにスピ−ドをなるべく出す」、「費用を安く上げる／気にしない」、「直線路がいい／カ−ブが多いほうがいい」、「都会を走る／田舎を走る」、「景観がいいル−トを走る／気にしない」、「朝日・夕日がまぶしくない（直射日光が入らない）／気にしない」、「路面の凍結や積雪を気にする／しない」、「オンロ−ド／オフロ−ド」、「道幅が広い／気にしない」、「ドライブインが多い／気にしない」、「上りル−トが多い／下りル−トが多い」、「踏み切りが多い／少ない」、「（自然災害などの）危険度の高さを気にする／しない」、「児童通学路を避ける／気にしない」、「走行時の路面の音が静か／気にしない」、「フェリ−を利用する／しない」、「右折の回数を気にする／しない」などが挙げられる。
【００６１】
基本的に、上記のような運転希望情報に基づいて搭乗者の希望に沿った経路を検索するためには、それぞれの希望に関係するパラメ−タや情報（例えば運転希望情報が停止回数ならば信号や遮断機の本数など）をデ−タベ−ス化し地図情報蓄積部に蓄積しておくことが考えられる。あるいは、外部から（リアルタイムな）パラメ−タや情報を取得して、それらデ−タベ−スの情報や外部からの情報に基づいて経路を検索してもよい。
【００６２】
例えば「（時間的に）早く目的地に着く」という運転者の希望に沿うために、候補となる経路の、それぞれの経路における制限速度の情報と目的地までの道のりの情報とがデ−タベ−ス化されていて、そのデ−タベ−スに基づいて運転時間を算出する。その中から最も運転時間のかからない経路を選択する。このようにして、あまり車の中に居たくない運転者や長々と運転したくない運転者は、早く目的地に着く又は運転時間が少ない経路又は出発時刻を知ることができる。
【００６３】
あるいは、「（自然災害などの）危険度の高さを気にする／しない」という運転者の希望に沿うために、例えば、経路毎に経路上のトンネルの数をデ−タベ−ス化しておき、いざというとき大惨事に発展しやすいトンネルを避ける経路を選択する。あるいは経路上の地すべりなどの可能性がある場所を経路毎に関連付けてデ−タベ−ス化しておく。そして気象庁から地域ごとの気象情報を随時取得し、その地すべりの可能性がある付近で所定量以上の降水があった旨の降水情報を取得した場合、その経路を避けて別の経路を選択してもよい。
【００６４】
また「フェリ−を利用する／しない」という運転者の希望に沿うために、経路検索の際に、「フェリ−乗り場及び到着所とその航路」も「経路の分岐点及び経路」として利用するようにしてもよい。つまりフェリ−を利用しないで目的地に向かう陸路ル−トだけでなく、Ｂル−トを通ってフェリ−に乗り、フェリ−到着所からＣル−トを通って目的地に向かう海路利用ル−トも経路検索の対象とする、ということである。また、その際航路でかかる時間やフェリ−を利用する際の代金などの情報もデ−タベ−ス化しておいてもよい。そうすれば「フェリ−を利用しても構わない、かつ費用がかからない経路」を運転者が希望した際など、陸路ル−トと海路利用ル−トとの費用や時間に基づく比較が可能となる。
【００６５】
勿論、上記の例においてはそれぞれの希望に最も沿う経路を検索する、と記載したが、必ずしもその希望に沿った最適な経路を検索する必要はない。他の希望や検索条件も加味した上で経路検索や出発時刻の検索が行われてよい。
【００６６】
＜実施形態２＞
【００６７】
（実施形態２の概念）
【００６８】
図４９（２）は、本実施形態について車輌（側で利用される情報端末）とサーバ装置の有する大まかな機能を概略的に記載したものである。この図にあるように本実施形態では、搭乗者情報（運転希望情報も含む）の蓄積や取得がサーバ装置で行われ、その情報に基づく経路検索が車輌で行われる。
【００６９】
すなわち本実施形態は、実施形態１と同様に、車輌の搭乗者に関する情報（搭乗者情報）に合わせて最短経路以外の経路も検索する経路検索システムである。ただし、実施形態１と異なる点は、ネットワ−クで接続されたサーバ装置と情報端末とからなるサ−バ−クライアント型のシステムである点と、運転の希望以外にもサーバ装置に蓄積された個人情報などに合わせて経路を検索する点である。
【００７０】
図６に示すのは、本実施形態の経路検索システムによるル−ト検索を概念的に表す図である。この図にあるように、まずΑは予めサ−ビス提供センタ−に対して、「燃費の良さを重視します」などの自分の運転の傾向（希望）についての情報を登録しておく（１）。その後、Αが車輌に乗り込み目的地に向かう際、Αは登録の際に設定・通知された自分のＩＤ番号を情報端末に入力する（２）。するとそのＩＤ番号をもとに、予め１で登録していた傾向に沿ってΑ向けの燃費の良い経路の情報がピックアップされ、その情報がサ−ビス提供センタ−のサ−バ装置から情報端末に送信される（３）。情報端末ではサ−ビス提供センタ−からの情報に基づいて目的地に至るための経路のうち燃費の良い経路を検索し、画面上に出力表示する（４）。
【００７１】
このように、本実施形態では実施形態１と同様に最短距離以外にもさまざまな経路を検索することが可能である。実施形態１と異なる点は、例えば友人の車を借りるなどした場合でも自分の傾向に沿った経路検索が可能な点である。何故ならば、経路検索に必要な情報がサ−バ装置に登録（蓄積）されており、それらの情報が自分のＩＤ番号などによってピックアップされ情報端末に送信されてくるからである。
【００７２】
また、「燃費の良さを重視する」などの傾向ではなく、家族構成や、血液型、生年月日などの個人情報が予め登録されていても良い。その場合、例えばＩＤで識別される搭乗者の家族構成に乳幼児が含まれているのならば、途中でミルクやオムツを買えるようにドラッグストアの位置情報などが情報端末に送信される。そして、情報端末でそのドラッグストアを通過する経路が表示される。
【００７３】
（実施形態２の構成）
【００７４】
図７に示すのは、本実施形態の経路検索システムの機能ブロックの一例を表す図である。この図にあるように、本実施形態の経路検索システムは「サ−バ装置」（０７１０）と、「情報端末」（０７２０）と、からなる。そしてサ−バ装置（０７１０）は、「地図情報蓄積部」（０７１１）と、「搭乗者情報蓄積部」（０７１２）と、「搭乗者識別情報受信部」（０７１３）と、「情報送信部」（０７１４）と、を有する。
【００７５】
また情報端末（０７２０）は、「目的地情報取得部」（０７２１）と、「出発地情報取得部」（０７２２）と、「搭乗者識別情報送信部」（０７２３）と、「情報受信部」（０７２４）と、「搭乗者別経路検索部」（０７２５）と、を有する。
【００７６】
まず、「サ−バ装置」（０７１０）の各構成要件について説明する。
【００７７】
「地図情報蓄積部」（０７１１）は、地図情報を蓄積する機能を有する。この地図情報蓄積部は、実施形態１において説明したものと同様であるので説明は省略する。
【００７８】
「搭乗者情報蓄積部」（０７１２）は、搭乗者情報を、搭乗者識別情報と関連付けて蓄積する機能を有する。「搭乗者情報」とは、車輌の搭乗者に関する情報をいう。「搭乗者識別情報」とは、該搭乗者を識別するための情報をいう。ここで、図８を用いて、搭乗者情報と搭乗者識別情報について説明する。
【００７９】
図８に示すのは、搭乗者情報蓄積部に蓄積されている搭乗者情報と搭乗者識別情報の一例を説明するための図である。この図にあるように、搭乗者情報には、実施形態１で説明した「燃費の良さを重視する（燃費がいい）」や、「信号の本数を少なく」などの運転希望情報も含まれて良い。またその他に、概念の例で述べたような生年月日や血液型などの個人情報であっても良い。また、搭乗者識別情報は、例えば数字や文字の羅列で表される個人ＩＤなどが挙げられる。
【００８０】
そして搭乗者情報蓄積部において、「燃費の良さを重視」や「Ｂ型」、「１９９９０４０１」といった搭乗者情報が、「ＡＡ０００１２３」といった搭乗者識別情報と関連付けられて蓄積されている。これにより、搭乗者識別情報からその搭乗者の運転希望情報や個人情報などを取得することができる。
【００８１】
「搭乗者識別情報受信部」（０７１３）は、搭乗者識別情報を受信する。情報端末において送信された搭乗者識別情報を受信することで、前述のようにたとえ貸し借りなどで車輌の持ち主が変わっていたとしても、現在搭乗する者の搭乗者情報を取得することが可能となる。つまり、図８の「ＡＡ０００１２３」で識別されるΑ所有の車輌を、今日は「ＡＢ００１０１２」で識別されるΒが運転している。このような場合でも「ＡＢ００１０１２」という搭乗者識別情報を受信することで、その車輌の情報端末に対してΑの希望する「燃費のいい経路」ではなく、現在運転中のΒの希望する「信号の本数の少ない経路」の情報を送信することができる。
【００８２】
この搭乗者識別情報受信部は、例えばインタ−ネット網などを介して基本的に情報端末から送信されてきた搭乗者識別情報を受信する。基本的に、サーバ−クライアント型のシステムにおいて、その情報の送受信は、情報端末からサーバ装置、又はサーバ装置から情報端末に対して行われる。ただし、場合によっては、送信された情報を加工するための別のサーバ装置などに対してその情報が送信され，その装置を経由した情報が情報端末やサーバ装置に受信されても良い。
【００８３】
「情報送信部」（０７１４）は、搭乗者識別情報受信部（０７１３）で受信した搭乗者識別情報に基づいて取得した搭乗者情報に基づいて地図情報、又は地図情報及び搭乗者情報を送信する機能を有する。
【００８４】
以下、情報送信部で送信される地図情報や搭乗者情報について具体的な一例を挙げて説明する。まず搭乗者識別情報受信部で、図８に示すＩＤ番号「ＡＡ０００１２３」を受信する。そこで、搭乗者情報蓄積部から「ＡＡ０００１２３」と関連付けられた「燃費の良さを重視」という搭乗者情報が取得される。すると「燃費の良さを重視」という搭乗者情報から、地図情報蓄積部に蓄積されている地図情報である「平均燃費のいい経路を示す情報」が取得される。最後に情報送信部からその「平均燃費のいい経路を示す情報」が送信される。
【００８５】
あるいは前述のように、搭乗者情報が「乳幼児連れ」という搭乗者の個人情報であれば、地図情報である「ドラッグストアの緯度経度情報」が情報送信部から送信されても良い。また、その他に、搭乗者情報が図８に示すような血液型や生年月日であれば、その日の血液型占いや１２星座占いの結果である「運気の良い（悪い）方角を示す情報」が搭乗者情報として情報端末に送信されても良い。
【００８６】
この情報送信部は、例えばインタ−ネット網などを介して搭乗者識別情報を送信してきた情報端末に対して、上記のような地図情報や搭乗者情報を送信する。もちろんその際送信される地図情報や搭乗者情報は、「燃費を重視する」と「方角は西」といった具合に複数であってもかまわない。
【００８７】
続いて、「情報端末」（０７２０）の各構成要件について説明する。
【００８８】
「目的地情報取得部」（０７２１）及び、「出発地情報取得部」（０７２２）は、実施形態１で説明したものと同様であるとして、ここでは説明を省略する。
【００８９】
「搭乗者識別情報送信部」（０７２３）は、搭乗者識別情報を送信する機能を有する。この搭乗者識別情報送信部で送信される搭乗者識別情報の取得は、例えば、搭乗者自らが情報端末に入力することで取得される。または、搭乗者識別情報が記録されたカ−ドなどの記録媒体がサ−ビス提供業者より発行され、それを読み取ることで取得しても良い。また情報端末が予め搭乗者識別情報を蓄積しており、簡単な操作で送信できるようにしても良い。
【００９０】
この搭乗者識別情報送信部は、例えばインタ−ネット網などを介して（サ−ビスセンタ−等の）サ−バ装置に対して搭乗者識別情報を送信する。
【００９１】
このように搭乗者識別情報をサ−バ装置に対して送信することで、上記説明したようにサ−バ装置において搭乗者に合わせた地図情報や搭乗者情報を取得することができる。
【００９２】
「情報受信部」（０７２４）は、サ−バ装置の情報送信部（０７１４）において送信された地図情報、又は地図情報と搭乗者情報を受信する。
【００９３】
情報受信部では、例えばインタ−ネット網などを介してサーバ装置から送信されてきた地図情報や搭乗者情報を受信する。ここで受信した、例えば「寄ると良い店などの緯度経度情報」といった地図情報や、「縁起の良い方角」といった搭乗者情報に基づいて、搭乗者に合わせた経路検索が可能となる。
【００９４】
「搭乗者別経路検索部」（０７２５）は、目的地情報取得部（０７２１）で取得した目的地情報と、出発地情報取得部（０７２２）で取得した出発地情報と、情報受信部（０７２３）で受信した地図情報、又は地図情報と搭乗者情報と、に基づいて目的地に至るまでの経路又は及び出発時刻を検索する機能を有する。
【００９５】
この搭乗者別経路検索部では、実施形態１の希望経路検索部で説明したものと同様に、出発地から目的地までの経路のうち、情報受信部で受信した地図情報や搭乗者情報に合わせた経路検索が行われる。例えば、受信した地図情報が「ドラッグストアの緯度経度情報」ならば、目的地に至るまでの経路のうち、該緯度経度を通過するような経路を検索する。あるいは、「西の方角（が縁起が悪い）」という搭乗者情報を受信したならば、目的地に至るまでの経路のうちなるべく交差点で西の方向に曲がらない経路や、なるべく西の方角と関連付けられた経路を選択しないで目的地までの経路を検索するといった具合である。
【００９６】
そしてこの搭乗者別経路検索部での検索結果は、例えばディスプレイなどの出力部への出力表示や、音声出力やプリントアウト、記録媒体への書き込みなどさまざまな方法で出力される。
【００９７】
また搭乗者に合う経路の代わりに出発時刻を算出してもよい。例えば乳幼児をあまり車に乗せておきたくない場合など、渋滞で徐行運転したくない。そこで実施形態１で説明したように、ＶＩＣＳ（道路交通情報通信システム）から取得した渋滞情報などから、経路上の渋滞が解消される予想時刻を検索する。その検索結果から出発時刻を算出してもよい。
【００９８】
（実施形態２の処理の流れ）
【００９９】
図９に示すのは、本実施形態の経路検索装置の処理の流れの一例を表すフロ−チャ−トである。この図にあるように、まず、情報端末がサーバ装置に対して搭乗者識別情報を送信する（ステップＳ０９０１）。次に、サーバ装置は、前記ステップＳ０９０１で送信された搭乗者識別情報を受信する（ステップＳ０９０２）。続いて、サーバ装置は予め蓄積されている搭乗者情報のうち、前記ステップＳ０９０２で受信した搭乗者識別情報に基づいて取得した搭乗者情報に基づいて、予め蓄積されている地図情報、又は地図情報と搭乗者情報を情報端末に対して送信する（ステップＳ０９０３）。また情報端末は、目的地情報を取得する（ステップＳ０９０４）。また情報端末は、出発地情報を取得する（ステップＳ０９０５）。さらに情報端末は、ステップＳ０９０３で送信された地図情報、又は地図情報と搭乗者情報を受信する（ステップＳ０９０６）。最後に、情報端末は前記ステップＳ０９０４で取得した目的地情報と、前記ステップＳ０９０５で取得した出発地情報と、前記ステップＳ０９０６で受信した地図情報、又は地図情報と搭乗者情報と、に基づいて目的地に至までの経路又は及び出発時刻を検索する（ステップＳ０９０７）。
【０１００】
（実施形態２の効果の簡単な説明）
【０１０１】
このように、本実施形態の経路検索システムによって、実施形態１と同様に搭乗者に合ったさまざまな経路の検索、又は及び出発時刻の検索を行うことができる。また前述のように、（友人の車を借りるなどの）自分の所有車以外の車輌を運転する場合でも自分に合った経路検索が可能である。また、タクシーなど見知らぬ乗客を乗せた場合でも、その乗客の希望などに合わせた経路を通って目的地へ送迎するというサービスを行うことができる。
【０１０２】
また、サ−バ装置を管理するサ−ビス提供業者が、随時地図情報を更新し最新の情報をユ−ザが取得できるようにすることも可能である。さらにそれに合わせて、ドラッグストアの割引情報などをユーザに対して送信することもできる。
【０１０３】
＜実施形態３＞
【０１０４】
（実施形態３の概念）
【０１０５】
図４９の（３）は、本実施形態について車輌（側で利用される情報端末）とサーバ装置の有する大まかな機能を概略的に記載したものである。この図にあるように本実施形態では、搭乗者情報（運転希望情報も含む）の蓄積や取得、及びその情報に基づく経路検索がサーバ装置で行われ、検索結果が車輌に送信される。
【０１０６】
すなわち本実施形態は、実施形態２と同様にサ−バ−クライアント型で、最短経路以外にも車輌の搭乗者に合った経路を検索する経路検索システムである。異なる点は、情報端末が取得した目的地情報と出発地情報とをサーバ装置が受信し、サ−バ側で経路の検索を行う。そしてその検索結果をサ−バ装置から情報端末に対して送信する点である。
【０１０７】
このように実施形態２と違い、経路を検索するという処理を情報端末ではなくサ−バ装置が行うことによって情報端末の処理の負荷を軽減することができる。
【０１０８】
（実施形態３の構成）
【０１０９】
図１０に示すのは、本実施形態の経路検索システムの機能ブロックの一例を表す図である。この図にあるように、本実施形態の経路検索システムは、「サ−バ装置」（１０１０）と、「情報端末」（１０２０）と、からなる。サ−バ装置（１０１０）は、「地図情報蓄積部」（１０１１）と、「搭乗者情報蓄積部」（１０１２）と、「搭乗者識別情報受信部」（１０１３）と、「目的地情報受信部」（１０１４）と、「出発地情報受信部」（１０１５）と、「搭乗者別経路検索部」（１０１６）と、「検索結果情報送信部」（１０１７）と、を有する。
【０１１０】
また情報端末（１０２０）は、「目的地情報送信部」（１０２１）と、「出発地情報送信部」（１０２２）と、「搭乗者識別情報送信部」（１０２３）と、「検索結果情報受信部」（１０２４）と、を有する。
【０１１１】
まず、「サ−バ装置」（１０１０）の各構成要件について説明するが、概念で既に述べたように、本実施形態は基本的に実施形態２と同様のものである。従ってその各構成要件も、同様であるとして説明を省略し、実施形態２と異なる点のみ説明を行う。
【０１１２】
本実施形態では、実施形態２と異なり、経路検索をサーバ装置で行う。従ってサーバ装置が経路検索に利用する目的地情報と出発地情報を取得する必要がある。従ってサーバ装置が下記２つの機能を有する。
【０１１３】
「目的地情報受信部」（１０１４）は、目的地情報を受信する機能を有する。
【０１１４】
「出発地情報受信部」（１０１５）は、出発地情報を受信する機能を有する。
【０１１５】
この目的地情報受信部と出発地情報受信部は、それぞれ、例えばインタ−ネット網を介して、情報端末において取得された目的地情報と出発地情報とを受信する。
【０１１６】
また、本実施形態ではサーバ装置で経路検索を行うので、実施形態２では情報端末が有していた「搭乗者別経路検索部」をサーバ装置が有していることになる。勿論サーバ装置はその他に、搭乗者別経路検索部での検索結果を情報端末に対して送信する機能も有している。
【０１１７】
「搭乗者別経路検索部」（１０１６）は、目的地情報受信部（１０１４）で受信した目的地情報と、出発地情報受信部（１０１５）で受信した出発地情報と、搭乗者識別情報受信部（１０１３）で受信した搭乗者識別情報に基づいて取得した搭乗者情報と、地図情報蓄積部（１０１２）に蓄積されている地図情報と、に基づいて目的地に至るまでの経路又は及び出発時刻を検索する機能を有する。ただし、その検索の具体的な例示などは、実施形態２の情報端末のものと同様である省略する。
【０１１８】
「検索結果情報送信部」（１０１７）は、搭乗者別経路検索部（１０１６）での検索結果を送信する機能を有する。「検索結果情報」とは、検索された結果の情報をいい、例えば、地図を表示するための地図情報を含む検索結果の情報や、地図上に経路検索の結果を表示させるための情報、目的地に至るまでに通過すべき地点の情報（例えばオムツなどが売っているドラッグストアの緯度経度情報）などが挙げられる。
【０１１９】
この検索結果情報送信部は、例えばインタ−ネット網を介して情報端末に対して送信される。
【０１２０】
次に、情報端末（１０２０）の各構成要件について説明するが、これも実施形態２と異なる点のみ説明する。
【０１２１】
「目的地情報送信部」（１０２１）は、目的地情報を送信する機能を有する。
【０１２２】
「出発地情報送信部」（１０２２）は、出発地情報を送信する機能を有する。
【０１２３】
この目的地情報送信部と出発地情報送信部は、実施形態２の目的地情報取得部と出発地情報取得部で説明したようにして取得した目的地情報と出発地情報を、例えばインタ−ネット網を介してサ−バ装置に送信する。
【０１２４】
このように、情報端末において取得された目的地情報と出発地情報をサ−バ装置に対して送信することで、サ−バ装置は目的地までの経路検索が可能となる。
【０１２５】
「検索結果情報受信部」（１０２４）は、サ−バ装置の検索結果情報送信部（１０１７）において送信された検索結果情報を受信する機能を有する。その受信した検索結果情報が、例えばドラッグストアの緯度経度情報のみであるならば、その情報と、自身が蓄積している地図情報とを組み合わせてディスプレイ等に表示する。もちろんここで受信する検索結果情報は、検索結果の経路も含めた地図画像の情報であっても良い。
【０１２６】
このように本実施形態の経路検索システムでは、情報端末は経路検索を行なわず、サ−バ装置で検索された結果を受信する。従って情報端末の処理能力をあまり要求しないので、携帯電話やＰＨＳ、ＰＤＡなどの既成の携帯端末でも実現可能である。
【０１２７】
（実施形態３の処理の流れ）
【０１２８】
図１１に示すのは、本実施形態の経路検索システムの処理の流れの一例を示すフロ−チャ−トである。この図にあるように、まず、情報端末は搭乗者識別情報をサーバ装置に対して送信する（ステップＳ１１０１）。また、情報端末は目的地情報をサーバ装置に対して送信する（ステップＳ１１０２）。また、情報端末は出発地情報をサーバ装置に対して送信する（ステップＳ１１０３）。次に、サーバ装置は前記ステップＳ１１０１で送信された搭乗者識別情報を受信する（ステップＳ１１０４）。またサーバ装置は、前記ステップＳ１１０２で送信された目的地情報を受信する（ステップＳ１１０５）。またサーバ装置は前記ステップＳ１１０３で送信された出発地情報を受信する（ステップＳ１１０６）。続いて、サーバ装置は前記ステップＳ１１０５で受信した目的地情報と、前記ステップＳ１１０６で受信した出発地情報と、予め蓄積されている搭乗者情報のうち、前記ステップＳ１１０４で受信した搭乗者識別情報に基づいて取得した搭乗者情報と、予め蓄積されている地図情報と、に基づいて目的地に至るまでの経路又は及び出発時刻を検索する（ステップＳ１１０７）。さらに、サーバ装置は前記ステップＳ１１０７での検索結果情報を情報端末に対して送信する（ステップＳ１１０８）。最後に、情報端末は前記ステップＳ１１０８で送信された検索結果情報を受信する（ステップＳ１１０９）。
【０１２９】
（実施形態３の効果の簡単な説明）
【０１３０】
このように、本実施形態の経路検索システムによって、実施形態２と同様に、搭乗者に合ったさまざまな経路の検索、又は及び出発時刻の検索を行うことができる。勿論、自動車の貸し借りなどの場合でも搭乗者に合った経路が検索できる点も同様である。
【０１３１】
さらに前述のように本実施形態では、実施形態２と異なり、情報端末に高度な処理能力を要求しないので、情報端末は携帯電話などでもよい。また、サ−バ装置が経路検索を行うので総合的な処理や経路検索が可能となる。具体的に言うと、例えばこのサ−バ装置によって検索された複数台の車輌の経路が同様のものである場合など、その経路を渋滞予想経路として避けるような経路を検索する、または、車輌が集中しないように分散させて経路を検索する、といったことも可能となる。
【０１３２】
＜実施形態４＞
【０１３３】
（実施形態４の概念）
【０１３４】
図５０の（４）は、本実施形態について車輌（側で利用される装置）の有する大まかな機能を概略的に記載したものである。この図にあるように、上記実施形態１の経路検索装置によって、運転者の希望に沿った経路が検索される（経路検索）際に、渋滞情報や通行止めの情報（道路交通情報）なども取得して、それらの情報も加味して経路検索を行う経路検索装置である。具体的な概念の例として、例えば、ドライブインが多いという運転希望情報と目的地情報に基づいて、経路検索装置はＡル−トを選択した。しかし、この経路検索装置はＡル−ト上で渋滞が起きている旨の情報をＶＩＣＳから取得した。従ってその渋滞の情報に基づいて、渋滞しておらずかつドライブインの数が次に多い別の経路を選択し、その経路をディスプレイ上に表示する。
【０１３５】
このように本実施形態の経路検索装置は、運転者の希望に沿った経路である上に、さらに渋滞などの道路交通情報も加味した経路を検索し、出力することができる。
【０１３６】
（実施形態４の構成）
【０１３７】
図１２に示すのは、本実施形態の経路検索装置の機能ブロックの一例を表す図である。この図にあるように、本実施形態の「経路検索装置」（１２００）は、実施形態１を基本として、「目的地情報取得部」（１２０１）と、「出発地情報取得部」（１２０２）と、「運転希望情報取得部」（１２０３）と、「地図情報蓄積部」（１２０４）と、「希望経路検索部」（１２０５）と、を有する。そして、特徴点として、さらに「道路交通情報取得部」（１２０６）と、を有する。
【０１３８】
「道路交通情報取得部」（１２０６）は、道路交通情報を取得する機能を有する。「道路交通情報」とは、車輌の走行に影響を及ぼす道路上の事象に関する情報をいう。道路交通情報の具体的な例として、渋滞に関する情報、工事・事故に関する情報、警察などによる検問やスピ−ド違反の取締に関する情報、通行止めに関する情報、チェ−ン規制に関する情報、路面上の水分に関する情報（例えば路面の濡れ具合など）、路面の凍結、あるいは雨量や積雪の量に関する情報などが挙げられる。
【０１３９】
また、「希望経路検索部」（１２０５）は、前記目的地情報と前記出発地情報と前記運転希望情報と、に加えて、道路交通情報取得部（１２０６）で取得した道路交通情報に基づいて目的地までの経路又は及び出発時刻を検索することも特徴とする。
【０１４０】
上記道路交通情報は、前述のように、それぞれの事象が起きている又は行われている場所を示す情報や時間が考えられる。従って、この道路交通情報をもとにして経路検索装置は、その事象が起きている又は行われている場所を避ける経路検索や出発時刻の検索を行うことができる。つまり、上記概念で説明したように、運転希望情報に基づいて選択された最もドライブインの多い経路上に、取得した道路交通情報で示される渋滞の起きている場所が含まれているとする。その場合、希望経路検索部でその経路を除外して、渋滞がなく、かつドライブインの数が次に多い別の経路を選択する、という具合である。
【０１４１】
また経路を避ける判断をする際、その事象の程度が所定の程度以下かも考慮に入れて、その経路を避けるか避けないかの判断を行ってもよい。例えば積雪量が５ミリメ−トル以上であれば、別の経路を検索する、という具合である。
【０１４２】
（実施形態４の処理の流れの一例）
【０１４３】
図１３に示すのは、本実施形態の経路検索装置の処理の流れの一例を表すフロ−チャ−トである。この図に示すように、まず、目的地情報を取得する（ステップＳ１３０１）。続いて、出発地情報を取得する（ステップＳ１３０２）。また、運転希望情報を取得する（ステップＳ１３０３）。また、道路交通情報を取得する（ステップＳ１３０４）最後に、前記ステップＳ１３０１で取得した目的地情報と、前記ステップＳ１３０２で取得した出発地情報と、前記ステップＳ１３０３で取得した運転希望情報と、前記ステップＳ１３０４で取得した道路交通情報と、予め蓄積されている地図情報と、に基づいて、目的地に至るまでの経路又は及び出発時刻を検索する（ステップＳ１３０５）。
【０１４４】
（実施形態４の効果の簡単な説明）
【０１４５】
以上のように、本実施形態の経路検索装置によって希望に合った経路を運転できたのはいいが、渋滞や検問に引っ掛かった、とか、チェ−ン規制で面倒なチェ−ンの取付を行わねばならなくなった、あるいは通行止めで結局引き返さなくてはならなかった、などという面倒な事態の発生を抑えることができる。
【０１４６】
＜実施形態５＞
【０１４７】
（実施形態５の概念）
【０１４８】
図５０の（５）は、本実施形態について車輌（側で利用される情報端末）とサーバ装置の有する大まかな機能を概略的に記載したものである。この図にあるように、本実施形態の経路検索システムは、実施形態２（図４９（２））を基本として、さらに渋滞情報や通行止めなどの道路交通情報を取得して、経路検索を行う経路検索システムである。つまり実施形態４と同様に経路を検索する際に道路交通情報を加味する点を特徴とする、サ−バ−クライアント型の経路検索システムである。
【０１４９】
（実施形態５の構成）
【０１５０】
図１４に示すのは、本実施形態の経路検索システムの機能ブロックの一例を表す図である。この図にあるように、本実施形態の経路検索システムは、実施形態２を基本として、「サ−バ装置」（１４１０）と、「情報端末」（１４２０）と、からなる。そしてサ−バ装置（１４１０）は、「地図情報蓄積部」（１４１１）と、「搭乗者情報蓄積部」（１４１２）と、「搭乗者識別情報受信部」（１４１３）と、「情報送信部」（１４１４）と、を有する。また情報端末（１４２０）は、「目的地情報取得部」（１４２１）と、「出発地情報取得部」（１４２２）と、「搭乗者識別情報送信部」（１４２３）と、「情報受信部」（１４２４）と、「搭乗者別経路検索部」（１４２５）と、を有する。ただしサ−バ装置（１４１０）と情報端末（１４２０）の、それぞれの各構成要件は、実施形態２に準ずるものとして説明を省略する。
【０１５１】
そして、特徴点として、情報端末（１４２０）が、「道路交通情報取得部」（１４２６）、をさらに有する。
【０１５２】
「道路交通情報取得部」（１４２６）は、道路交通情報を取得する機能を有する。ただし、この道路交通情報取得部は、実施形態４で説明したものと同様であるとして説明を省略する。
【０１５３】
また、情報端末の「搭乗者別経路検索部」では、前記目的地情報と前記出発地情報と前記地図情報又は地図情報と搭乗者情報と、に加えて、道路交通情報取得部（１４２１）で取得した道路交通情報に基づいて目的地までの経路又は及び出発時刻を検索する。つまり、実施形態４と同様に、経路を検索の際に道路交通情報を加味した経路検索が行なわれる。その経路の検索の具体的な一例は、実施形態４の「希望経路検索部」で説明したものと同様であるとして説明を省略する。勿論、本実施形態では、運転の希望に合った経路以外にも、実施形態２で説明したような個人情報などに合わせた経路の中から、例えば渋滞のない経路を検索することもありうる。
【０１５４】
（実施形態５の処理の流れ）
【０１５５】
図１５に示すのは、本実施形態の経路検索システムの処理の流れの一例を表すフロ−チャ−トである。この図にあるように、まず、情報端末は搭乗者識別情報をサーバ装置に対して送信する（ステップＳ１５０１）。次に、サーバ装置は前記ステップＳ１５０１で送信された搭乗者識別情報を受信する（ステップＳ１５０２）。続いて、サーバ装置は予め蓄積されている搭乗者情報のうち、前記ステップＳ１５０２で受信した搭乗者識別情報に基づいて取得した搭乗者情報に基づいて、予め蓄積されている地図情報、又は地図情報と搭乗者情報を情報端末に対して送信する（ステップＳ１５０３）。また、情報端末は目的地情報を取得する（ステップＳ１５０４）。また、情報端末は出発地情報を取得する（ステップＳ１５０５）。また、情報端末は道路交通情報を取得する（ステップＳ１５０６）。さらに、情報端末はステップＳ１５０３で送信された地図情報、又は地図情報と搭乗者情報を受信する（ステップＳ１５０７）。最後に、情報端末は前記ステップＳ１５０４で取得した目的地情報と、前記ステップＳ１５０５で取得した出発地情報と、前記ステップＳ１５０６で取得した道路交通情報と、前記ステップＳ１５０７で受信した地図情報、又は地図情報と搭乗者情報と、に基づいて目的地に至までの経路又は及び出発時刻を検索する（ステップＳ１５０８）。
【０１５６】
（実施形態５の効果の簡単な説明）
【０１５７】
このように、本実施形態の経路検索システムによって、実施形態４と同様に、自分に合った経路を運転できたのはいいが、渋滞や検問に引っ掛かったなどという面倒な事態の発生を抑えることができる。また、実施形態２と同様に、サ−バ装置に搭乗者情報が蓄積されているので、車の貸し借りやタクシーの乗客などの場合であってもその搭乗者に合わせた経路の検索を行うことができる。
【０１５８】
＜実施形態６＞
【０１５９】
（実施形態６の概念）
【０１６０】
図５０の（６）は、本実施形態について車輌（側で利用される情報端末）とサーバ装置の有する大まかな機能を概略的に記載したものである。この図にあるように
本実施形態の経路検索システムは、実施形態３を基本として、さらに渋滞情報や通行止めなどの道路交通情報を取得して、経路検索を行うサ−バ−クライアント型の経路検索システムである。つまり、実施形態４や実施形態５と同様に、経路を検索の際に道路交通情報を加味する点が特徴である。そして同じサ−バ−クライアント型である実施形態５との相違点は、経路検索が情報端末ではなくサ−バ装置で行われることである。
【０１６１】
（実施形態６の構成）
【０１６２】
図１６に示すのは、本実施形態の経路検索システムの機能ブロックの一例を表す図である。この図にあるように、本実施形態の経路検索システムは、実施形態３を基本として、「サ−バ装置」（１６１０）と、「情報端末」（１６２０）と、からなる。サ−バ装置（１６１０）は、「地図情報蓄積部」（１６１１）と、「搭乗者情報蓄積部」（１６１２）と、「搭乗者識別情報受信部」（１６１３）と、「目的地情報受信部」（１６１４）と、「出発地情報受信部」（１６１５）と、「搭乗者別経路検索部」（１６１６）と、「検索結果情報送信部」（１６１７）と、を有する。また情報端末（１６２０）は、「目的地情報送信部」（１６２１）と、「出発地情報送信部」（１６２２）と、「搭乗者識別情報送信部」（１６２３）と、「検索結果情報受信部」（１６２４）と、を有する。ただしサ−バ装置（１６１０）と情報端末（１６２０）の、それぞれの各構成要件は実施形態３に準ずるものとして説明を省略する。
【０１６３】
そして、特徴点として、サ−バ装置（１６１０）が、「道路交通情報取得部」（１６１８）、をさらに有する。
【０１６４】
「道路交通情報取得部」（１６１８）は、道路交通情報を取得する機能を有する。この道路交通情報取得部は、実施形態４で説明したものと同様であるとして説明を省略する。ただし、この道路交通情報取得部で取得する道路交通情報は、ＶＩＣＳなどから直接サ−バ装置が取得しても良いし、例えば情報端末から送信された道路交通情報を受信することによって取得しても良い。
【０１６５】
また、サ−バ装置（１６１０）の「搭乗者別経路検索部」が、目的地情報と出発地情報と地図情報と搭乗者情報と、に加えて道路交通情報取得部で取得した道路交通情報に基づいて目的地に至るまでの経路又は及び出発時刻を検索する点は実施形態５のものと同様である。
【０１６６】
従って、本実施形態でも道路の渋滞等に巻き込まれずに、さらに自分に合った経路を検索することが可能となる。また、サ−バ装置が経路の検索を行うため、実施形態３と同様に情報端末は携帯電話やＰＨＳなどでも実現可能である。
【０１６７】
（実施形態６の処理の流れ）
【０１６８】
図１７に示すのは、本実施形態の経路検索システムの処理の流れの一例を表すフロ−チャ−トである。この図にあるように、まず、情報端末が搭乗者識別情報をサーバ装置に対して送信する（ステップＳ１７０１）。また、情報端末が目的地情報をサーバ装置に対して送信する（ステップＳ１７０２）。また、情報端末が出発地情報をサーバ装置に対して送信する（ステップＳ１７０３）。次に、サーバ装置が前記ステップＳ１７０１で送信された搭乗者識別情報を受信する（ステップＳ１７０４）。また、サーバ装置が前記ステップＳ１７０２で送信された目的地情報を受信する（ステップＳ１７０５）。またサーバ装置が前記ステップＳ１７０３で送信された出発地情報を受信する（ステップＳ１７０６）。また、サーバ装置が道路交通情報を取得する（ステップＳ１７０７）。続いて、サーバ装置が前記ステップＳ１７０５で受信した目的地情報と、前記ステップＳ１７０６で受信した出発地情報と、予め蓄積されている搭乗者情報のうち、前記ステップＳ１７０４で受信した搭乗者識別情報に基づいて取得した搭乗者情報と、予め蓄積されている地図情報と、前記ステップＳ１７０７で取得した道路交通情報と、に基づいて目的地に至るまでの経路又は及び出発時刻を検索する（ステップＳ１７０８）。さらに、サーバ装置が前記ステップＳ１７０８での検索結果情報を情報端末に対して送信する（ステップＳ１７０９）。最後に、情報端末は前記ステップＳ１７０９で送信された検索結果情報を受信する（ステップＳ１７１０）。
【０１６９】
（実施形態６の効果の簡単な説明）
【０１７０】
このように、本実施形態の経路検索システムによって、実施形態４と同様に、自分に合った経路を運転できたのはいいが、渋滞や検問に引っ掛かったなどという面倒な事態の発生を抑えることができる。勿論実施形態３と同様に、本実施形態においても情報端末に高度な処理能力を要求しないので、情報端末を既存の携帯電話やＰＨＳなどでも実現可能とすることができる。
【０１７１】
＜実施形態７＞
【０１７２】
（実施形態７の概念）
【０１７３】
図１８に示すのは、本実施形態の車輌内環境変化用装置の概念の一例を表す図である。この図にあるように、本実施形態の車輌内環境変化用装置を搭載した車輌（１８０１）が経路（１８０２）上をＡ地点からＢ地点に向けて走行中である。ここで、高速道路を走行中には、車輌（１８０１）内では車輌内環境変化用装置から疾走感溢れるロックナンバ−が出力されている。やがて車輌（１８０１）は高速道路を下りて湾岸沿いの道路を走行するが、その際には、ゆったりとした海をテ−マにしたクラシック曲が出力されている。
【０１７４】
あるいは図示はしていないが、本実施形態の概念の別の一例として、上記のように現在走行中の場所に合わせた音楽などが出力されるのではなく、その目的地に合わせた音楽などが出力されても良い。つまり、北海道に向かう車の中で北海道の民謡が出力されるといった具合である。
【０１７５】
このように車輌が走行中の場所や目的地に合った音楽などを自動的に出力されて、場所の雰囲気を損ねることなく楽しみながら走行する、あるいは目的地に到着するまでその目的地に合わせて気分を盛り上げることができる、と考えられる。
なお、本件明細書においては、音楽は、旋律を有さない、いわゆる人の声だけからなるものも含むものとする。即ち、音楽には、音声も含むものとする。請求項における音楽（音声）は、この趣旨を表したものである。
【０１７６】
図５１の（７）は、本実施形態について車輌（側で利用される装置）の有する大まかな機能を概略的に記載したものである。この図にあるように本実施形態では、場所の分類の決定（上記例では、走行中の場所は高速道路である、と決定）及び、出力する情報の決定（上記例ではロックナンバーを出力する、と決定）が車輌で行われる。
【０１７７】
（実施形態７の構成）
【０１７８】
図１９に示すのは、本実施形態の車輌内環境変化用装置の機能ブロックの一例を表す図である。この図にあるように、本実施形態の「車輌内環境変化用装置」（１９００）は、「場所分類情報蓄積部」（１９０１）と、「位置情報取得部」（１９０２）と、「場所分類情報取得部」（１９０３）と、「環境変化情報蓄積部」（１９０４）と、「環境変化情報取得部」（１９０５）と、「環境変化情報出力部」（１９０６）と、を有する。
【０１７９】
「場所分類情報蓄積部」（１９０１）は、場所識別情報と場所分類情報とを関連付けて蓄積する機能を有する。「場所識別情報」とは、所定の場所を識別するための情報をいう。具体的な例としては、自動車が走行できる経路周辺の場所を１ｋｍ四方に区切った場所を識別するための情報などが挙げられる。「場所分類情報」とは、前記所定の場所を分類するための情報をいう。場所を分類するための基準としては、例えば、その場所の属性（海や森林地帯、都心部など）や、その場所の雰囲気（のどかなど）を基準にして分類されることが考えられる。ここで、場所識別情報と場所分類情報について図２０を用いて説明する。
【０１８０】
図２０に示すのは、本実施形態の場所分類情報蓄積部での場所識別情報と場所分類情報の関連付けの一例を説明するための図である。この図にあるように、海岸沿いの場所を識別するための場所識別情報と、のどかな、又は海を基準とする場所分類情報が関連付けられている。また同様に、都市部と機械的が、森林地帯と牧歌的がそれぞれ関連付けられて蓄積されている。勿論、場所識別情報は、文字列などによって識別符号が一意に割り当てられていても構わないし、「海岸沿いの場所」の緯度経度情報であっても良い。
【０１８１】
この関連付けに基づいて、本実施形態の車輌内環境変化用装置は、海岸沿いでは例えば「のどか」や「海」というキ−ワ−ドと関連付けられた情報を出力することができる。
【０１８２】
図１９を再び用いて、車輌内環境変化用装置について説明する。
【０１８３】
「位置情報取得部」（１９０２）は、位置情報を取得する機能を有する。「位置情報」とは、位置に関する情報であり、例えば車輌が現在走行中の場所の位置情報が挙げられる。この位置情報は、車輌内環境変化用装置自身が従来のカ−ナビゲ−ションシステムのようにＧＰＳ機能を有していれば、そのＧＰＳ機能で測定された位置情報が考えられる。勿論ＧＰＳで位置検索ができる携帯電話などで取得した自車輌の位置情報を、本実施形態の車輌内環境変化用装置に入力されるなどして取得してもよい。
【０１８４】
また位置情報としては、上記概念で説明したように、目的地の位置情報であってもよい。この場合、位置情報は、例えば運転者などが入力手段により目的地の情報を入力することで取得されることが考えられる。
【０１８５】
「場所分類情報取得部」（１９０３）は、位置情報取得部（１９０２）で取得した位置情報に基づいて、場所分類情報蓄積部（１９０１）に蓄積されている場所分類情報を取得する機能を有する。具体的には、位置情報で示される自身の位置を含む所定の場所の場所識別情報と関連付けられた場所分類情報を取得するとよい。
【０１８６】
図２１を利用して、ここで場所分類情報の具体的な取得方法の一例について説明する。この図にあるように、取得した位置情報がＧＰＳで測定された（α、β）という緯度経度情報だとする。このとき場所分類情報蓄積部では全国の地図情報が蓄積されている。またその地図情報は緯度経度情報と関連付けられており、その緯度経度情報で示される地点が分かるようになっている（１）。従って上記位置情報である緯度経度情報に基づいて、まず地図上の位置が取得される。また、その地図情報は所定の区画に分割され、分割されたそれぞれの所定の区画毎に場所分類情報が関連付けられている（３）。従って、緯度経度情報で示された地点（α、β）を含む所定の区画の場所分類情報は、「牧歌的」と取得される（２）。
【０１８７】
このようにして、自車輌が現在どのような分類の場所にいるのかという情報が、車輌内環境変化用装置に取得される。
【０１８８】
図１９を用いて、再び車輌内環境変化用装置について説明する。
【０１８９】
「環境変化情報蓄積部」（１９０４）は、場所分類情報と環境変化情報とを関連付けて蓄積する機能を有する。「環境変化情報」とは、車輌内環境を変化させるための情報をいう。車輌内環境は色、音、臭いなど様々な要因によって影響を及ぼされ変化する。つまり環境変化情報は、視覚、聴覚、嗅覚、触覚ための情報であるといえる。その具体的な例としては、照明、香り、室内温度やマッサージ器の強弱などを変化させるための情報や、映像、音声などを出力するための情報が挙げられる。ここで、この関連付けについて図２２を利用して説明する。
【０１９０】
図２２に示すのは、環境変化情報蓄積部で蓄積されている場所分類情報と、環境変化情報の一例を説明するための図である。この図にあるように、場所分類情報である「牧歌的」と、環境変化情報である「田園・第一楽章」が関連付けられて蓄積されている。また「牧歌的」には、他に「森林の香り」という環境変化情報が関連付けられている。同様に「湿度の高い場所」には、「青い照明」が関連付けられている。これによって、サ−バ装置からの場所分類情報に応じてさまざまな環境変化情報を出力することが可能になる。
【０１９１】
勿論、環境変化情報と場所分類情報は一対一に関連付けられている必要はない。「田園・第一楽章」に、「牧歌的」以外の場所分類情報（例えば田園地帯）が関連付けられていても良い。
【０１９２】
「環境変化情報取得部」（１９０５）は、場所分類情報取得部（１９０３）で取得した場所分類情報に基づいて、環境変化情報蓄積部（１９０４）に蓄積されている環境変化情報を取得する機能を有する。
【０１９３】
ここで、上記のように現在走行中の場所が森林地帯であり取得された場所分類情報が牧歌的であれば、例えば、以下のような環境変化情報が出力される。本実施形態の装置に内蔵されている音楽の蓄積部から、場所分類情報である牧歌的と関連付けられているベ−ト−ベンの「田園・第一楽章」が取得され出力される。あるいは同様に牧歌的な映像を映像の蓄積部から取得し出力してもよいし、芳香の蓄積部から森林の香りが出力されてもよい。あるいは、取得された場所分類情報が「温度の高い場所」であれば、青色は発汗を抑えるという色彩心理学に基づいて、青い照明を照らすように室内灯をコントロ−ルしてもよい。
【０１９４】
このように環境変化情報は、場所分類情報と関連付けて蓄積されており、その関連付けに基づいて出力されることができる。
【０１９５】
勿論、これらの場所識別情報と場所分類情報の関連付けは、運転者などの好みによって自由に設定や変更がなされてよい。例えば、海という場所に関して「のどか」と言うイメ−ジを持つ者もいれば、海を見ながら「旅立ち・出立」をイメ−ジする者もいるからである。又同様に、その場所分類情報と環境変化情報との関連付けもユ−ザが自由に行ってよい。「温度の高い場所」で緑の照明を点灯させたり森林の香りを出力させたりして森林にいる気分を味わいたい者は、そのような関連付けを行えばよい。
【０１９６】
「環境変化情報出力部」（１９０６）は、環境変化情報取得部（１９０５）で取得した環境変化情報を出力する機能を有する。この環境変化情報出力部は、環境変化情報が例えば音楽のデータであるならば、スピ−カ−やヘッドホンなどの音声出力器が挙げられる。または、環境変化情報が、出力機器である音楽再生機器などに対して特定の音楽を再生するよう指示を出す（制御する）情報であってもよい。その場合、環境変化情報出力部はその音楽再生機器に対して制御信号などを送信する制御部であっても良い。
あるいは、香りを出力する場合であれば、環境変化情報の一例としては、ストックされているさまざまな芳香原料を調合するよう指示する情報であり、環境変化情報出力部の一例は、その制御部である。これにより、車輌が森林を走っていたならスピ−カ−から「田園・第一楽章」が、あるいは芳香ボックスから「森林の香り」が車輌内に出力される。それによって、窓を閉めきって森林を走っている車輌内でも森林にいるかのようにその車輌内の環境を変化させることができる。
【０１９７】
（実施形態７の処理の流れ）
【０１９８】
図２３に示すのは、本実施形態の車輌内環境変化用装置の処理の流れの一例を表すフロ−チャ−トである。この図に示すように、まず、位置情報を取得する（ステップＳ２３０１）。次に、予め場所識別情報と関連付けて蓄積している場所分類情報の中から、前記ステップＳ２３０１で取得した位置情報に基づいて場所分類情報を取得する（ステップＳ２３０２）。次に、前記ステップＳ２３０２で取得した場所分類情報に基づいて、環境変化情報を取得する（ステップＳ２３０３）。最後に、前記ステップＳ２３０３で取得した環境変化情報を出力する（ステップＳ２３０４）
【０１９９】
（実施形態７の効果の簡単な説明）
【０２００】
以上のように、本実施形態の車輌内環境変化用装置によって、その場所や目的地の雰囲気や属性などに応じた音楽や香りなどの環境変化情報を自動的に出力することができる。これによって運転者は快適にドライブを楽しむことができる。
【０２０１】
＜実施形態８＞
【０２０２】
（実施形態８の概念）
【０２０３】
図５１の（８）は、本実施形態について車輌（側で利用される情報端末）とサーバ装置の有する大まかな機能を概略的に記載したものである。この図にあるように本実施形態では、場所の分類の決定がサーバ装置で行われ、出力する環境変化情報の決定が車輌で行われる。
【０２０４】
つまり本実施形態は、実施形態７と同様に、現在走行中の場所や目的地に合わせた環境変化情報を出力する車輌内環境変化用システムである。ただし、実施形態７と異なる点は、ネットワ−クで接続されたサ−バ−クライアント型のシステムである点である。具体例を挙げて説明すると、サ−ビス提供業者のサ−バ装置が、車輌の位置情報から車輌の現在走行中の場所の分類を高速道路である、と特定する。そしてサ−バ装置から情報端末に対してその旨の情報が送信される。情報端末では受信した情報に合わせて高速道路に合うロックナンバ−が出力される、という具合である。
【０２０５】
基本的に日本全国の場所を網羅し分類することが好ましい場所分類情報（及び場所識別情報）はそのデータ量が膨大なものになることが考えられる。従って上記の概念の例のように、それらの情報をサ−バ装置に蓄積させることで情報端末のデ−タ容量を減らすことができる。
【０２０６】
（実施形態８の構成）
【０２０７】
図２４に示すのは、本実施形態の車輌内環境変化用システムの機能ブロックの一例を表す図である。この図にあるように、本実施形態は、「サ−バ装置」（２４１０）と、「情報端末」（２４２０）と、からなる。そして、サ−バ装置（２４１０）は、「場所分類情報蓄積部」（２４１１）と、「位置情報取得部」（２４１２）と、「場所分類情報取得部」（２４１３）と、「場所分類情報送信部」（２４１４）と、を有する。
【０２０８】
また情報端末（２４２０）は、「環境変化情報蓄積部」（２４２１）と、「位置情報出力部」（２４２２）と、「場所分類情報受信部」（２４２３）と、「環境変化情報取得部」（２４２４）と、「環境変化情報出力部」（２４２５）と、を有する。
【０２０９】
まず、「サ−バ装置」（２４１０）の各構成要件について説明する。
【０２１０】
「場所分類情報蓄積部」（２４１１）は、場所識別情報と、場所分類情報とを関連付けて蓄積する機能を有する。この場所分類情報蓄積部は、実施形態７において説明したものと同様であるので説明は省略する。
【０２１１】
「位置情報取得部」（２４１２）は、位置情報を取得する機能を有する。「位置情報」とは、実施形態７で説明したものと同様であるので説明を省略する。ただし、この位置情報取得部は、その位置情報の取得に関して、情報端末（２４２０）からその情報端末自身の位置情報を受信することが考えられる。例えば情報端末がＧＰＳ機能を有している場合などである。そのほかにもＧＰＳなどによる情報端末の位置の測定を行うサ−ビス業者からその位置情報を取得しても良い。
【０２１２】
「場所分類情報取得部」（２４１３）は、位置情報取得部（２４１２）で取得した位置情報に基づいて、場所分類情報蓄積部（２４１１）に蓄積されている場所分類情報を取得する機能を有する。この場所分類情報取得部は、実施形態７において説明したものと同様であるので説明は省略する。
【０２１３】
「場所分類情報送信部」（２４１４）は、場所分類情報取得部（２４１３）で取得した場所分類情報を送信する機能を有する。ここで送信される場所分類情報は、実施形態７で述べたような「海」や「のどか」という情報でも良い。、あるいは、その場所分類情報で分類される場所に合った環境変化情報の出力を指示するための情報でも良い。例えば「潮風のにおい（を出力せよ）」や「のどかな曲（を出力せよ）」といった具合である。
【０２１４】
この場所分類情報送信部は、例えばインタ−ネット網などを介して情報端末に対して場所分類情報を送信する。
【０２１５】
次に「情報端末」（２４２０）の各構成要件について説明する。
【０２１６】
「環境変化情報蓄積部」（２４２１）は、場所分類情報と、環境変化情報とを関連付けて蓄積する機能を有する。この環境変化情報蓄積部は、実施形態７で説明したものと同様であるとして説明を省略する。
【０２１７】
「位置情報出力部」（２４２２）は、位置情報を出力する機能を有する。この位置情報出力部では、例えばＧＰＳで計測された自身の現在位置情報をインタ−ネット網を介してサ−バ装置に送信する。あるいは位置を特定するための情報を前記位置情報取得部で記載したＧＰＳなどによる情報端末の位置の測定を行うサ−ビス業者などに対して送信する。このように、情報端末の位置情報が送信されることで、サ−バ装置は情報端末の位置情報を取得することが可能となる。そしてサ−バ装置は、その位置情報から場所分類情報を取得することができる。
【０２１８】
「場所分類情報受信部」（２４２３）は、場所分類情報送信部（２４１４）において送信された場所分類情報を受信する機能を有する。このように、サ−バ装置から送信された場所分類情報を受信することで、環境変化情報蓄積部に蓄積されている環境変化情報を、その場所に応じて取得することができる。この場所分類情報受信部は、例えばインタ−ネット網を介して場所分類情報を取得する。
【０２１９】
「環境変化情報取得部」（２４２４）は、場所分類情報受信部（２４２３）で受信した場所分類情報に基づいて、環境変化情報蓄積部に蓄積されている環境変化情報を取得する機能を有する。
【０２２０】
「環境変化情報出力部」（２４２５）は、環境変化情報出力部（２４２４）で取得した環境変化情報を車輌内に出力する機能を有する。環境変化情報出力部では、前述のように、受信した場所分類情報に応じて環境変化情報蓄積部から環境変化情報を取得し、出力する。
【０２２１】
この環境変化情報の取得並びに出力については、実施形態７で説明したものと同様であるので説明を省略する。
【０２２２】
（実施形態８の処理の流れ）
【０２２３】
図２５に示すのは、本実施形態の車輌内環境変化用システムの処理の流れの１例を表すフロ−チャ−トである。この図にあるように、まず、情報端末が位置情報をサーバ装置に対して出力する（ステップＳ２５０１）。次に、サーバ装置が前記ステップＳ２５０１で出力された位置情報を取得する（ステップＳ２５０２）。続いて、サーバ装置が予め場所識別情報と関連付けて蓄積されている場所分類情報の中から、前記ステップＳ２５０２で取得した位置情報に基づいて場所分類情報を取得する（ステップＳ２５０３）。さらに、サーバ装置が前記ステップＳ２５０３で取得した場所分類情報を情報端末に対して送信する（ステップＳ２５０４）。さらに、情報端末が前記ステップＳ２５０４で送信された場所分類情報を受信する（ステップＳ２５０５）。次に、情報端末が予め場所分類情報と関連付けて蓄積されている環境変化情報の中から、前記ステップＳ２５０５で受信した場所分類情報に基づいて環境変化情報を取得する（ステップＳ２５０６）。最後に、情報端末が前記ステップＳ２５０７で取得した環境変化情報を車輌内に出力する（ステップＳ２５０７）。
【０２２４】
（実施形態８の効果の簡単な説明）
【０２２５】
このように、本実施形態の車輌内環境変化用システムによって、実施形態７と同様に、車輌内の環境を現在走行中の場所や目的地に応じてさまざまなに変化させることができる。また本実施形態の概念で説明したように、膨大なデ−タ量になる可能性がある場所分類情報をサ−バ装置に蓄積させることで、情報端末で蓄積すべきデ−タ量を減らすことができる。また、環境変化情報の蓄積は情報端末で行うので、例えば自分の好きな音楽や香りのみをライブラリ化して、場所分類情報と関連付けることも可能である。
【０２２６】
＜実施形態９＞
【０２２７】
（実施形態９の概念）
【０２２８】
図５１の（９）は、本実施形態について車輌（側で利用される情報端末）とサーバ装置の有する大まかな機能を概略的に記載したものである。この図にあるように本実施形態では、場所の分類の決定が車輌で行われ、出力する環境変化情報の決定が車輌で行われる。
【０２２９】
つまり、本実施形態は、実施形態８と同様に、サ−バ−クライアント型で環境変化情報を車輌内に出力する車輌内環境変化用システムである。異なる点は、実施形態８とは逆に、サーバ装置ではなく情報端末が車輌の現在位置の場所などの特定を行う。また、情報端末ではなくサーバ装置がその特定された場所に応じて環境変化情報を取得する。従って、本実施形態の概念の一例としては、情報端末が走行中の場所の分類である「森林」を特定し、その情報がサーバ装置に対して送信される。それに応じてサ−バ装置から「田園・第一楽章」の音楽デ−タが情報端末に配信される、というものである。
【０２３０】
（実施形態９の構成）
【０２３１】
図２６に示すのは、本実施形態の車輌内環境変化用システムの機能ブロックの一例を表す図である。この図にあるように、本実施形態は、「サーバ装置」（２６１０）と、「情報端末」（２６２０）と、からなる。サーバ装置（２６１０）は、「環境変化情報蓄積部」（２６１１）と、「場所分類情報受信部」（２６１２）と、「環境変化情報取得部」（２６１３）と、「環境変化情報送信部」（２６１４）と、を有する。また情報端末（２６２０）は、「場所分類情報蓄積部」（２６２１）と、「位置情報取得部」（２６２２）と、「場所分類情報取得部」（２６２３）と、「場所分類情報送信部」（２６２４）と、「環境変化情報受信部」（２６２５）と、「環境変化情報出力部」（２６２６）と、を有する。ただし、本実施形態の概念で述べたように、システム全体の基本的な構成要件は実施形態８と同様であるとして説明を省略する。
【０２３２】
本実施形態と実施形態８との違いは、概念で述べたように情報端末で車輌の場所や目的地の特定を行う。また、サーバ装置でその場所に合った環境変化情報の選択が行われる点である。そのため本実施形態の構成要件には、下記のような特徴がある。
【０２３３】
まず、「環境変化情報蓄積部」（２６１１）及び「環境変化情報取得部」（２６１３）が情報端末ではなくサ−バ装置にある。また、「場所分類情報蓄積部」（２６２１）と「場所分類情報取得部」（２６２３）がサーバ装置ではなく情報端末にある。ただし、これらの具体的な説明などは、実施形態８のものと同様であるとして説明は省略する。これにより、サーバ装置は場所分類情報に基づいて環境変化情報を取得することができ、情報端末は位置情報に基づいて場所分類情報を取得することができる。
【０２３４】
また、サ−バ装置の「場所分類情報送信部」と情報端末の「場所分類情報受信部」が無い。その代わりに、サ−バ装置は「場所分類情報受信部」（２６１２）と、「環境変化情報送信部」（２６１４）を、情報端末は「場所分類情報送信部」（２６２４）と、「環境変化情報受信部」（２６２５）とを、それぞれ有する。これにより、情報端末で取得された場所分類情報の送受信、ならびにサーバ装置で取得された環境変化情報の送受信が可能となる。
【０２３５】
また、このサーバ装置の場所分類情報受信部と環境変化情報送信部、情報端末の場所分類情報送信部と環境変化情報受信部は、例えばインターネット網を介してそれぞれ情報の送受信を行う。
【０２３６】
この情報端末の「環境変化情報受信部」（２６２１）は、環境変化情報送信部（２６１４）において送信された環境変化情報を受信する機能を有する。そして受信した環境変化情報が音楽デ−タなどであれば、そのまま「環境変化情報出力部」（２６２２）であるスピ−カ−などの音声出力器からその音楽が出力される。あるいは、音楽の出力を音楽再生装置に指示するための情報であれば、音楽再生装置で指示された音楽が再生され、やはり環境変化情報出力部からその音楽が出力される。
【０２３７】
このようにして、本実施形態の車輌内環境変化用システムによっても車輌内の環境を変化させ、より快適なドライブを楽しむことができるようになる。
【０２３８】
（実施形態９の処理の流れ）
【０２３９】
図２７に示すのは、本実施形態の車輌内環境変化用システムの処理の流れの一例を表すフローチャートである。この図にあるように、まず、情報端末が位置情報を取得する（ステップＳ２７０１）。次に、情報端末が予め場所識別情報と関連付けて蓄積されている場所分類情報の中から、前記ステップＳ２７０１で取得した位置情報に基づいて場所分類情報を取得する（ステップＳ２７０２）。続いて、情報端末が前記ステップＳ２７０２で取得した場所分類情報をサーバ装置に対して送信する（ステップＳ２７０３）。さらに、サーバ装置が前記ステップＳ２７０３で送信された場所分類情報を受信する（ステップＳ２７０４）。続いて、サーバ装置が予め場所分類情報と関連付けて蓄積されている環境変化情報の中から、前記ステップＳ２７０４で受信した場所分類情報に基づいて環境変化情報を取得する（ステップＳ２７０５）。さらに、サーバ装置が前記ステップＳ２７０５で取得した環境変化情報を情報端末に対して送信する（ステップＳ２７０６）。さらに、情報端末が前記ステップＳ２７０６で送信された環境変化情報を受信する（ステップＳ２７０７）。最後に、情報端末が前記ステップＳ２７０７で受信した環境変化情報を車輌内に出力する（ステップＳ２７０８）。
【０２４０】
（実施形態９の効果の簡単な説明）
【０２４１】
このように、本実施形態の車輌内環境変化用システムによっても、実施形態７や８と同様に、車輌内の環境を現在走行中の場所や目的地に応じてさまざまなに変化させることができる。また環境変化情報をサ−バ装置に蓄積させることで、情報端末で蓄積すべきデ−タ量を減らすことができる。また、場所分類情報の蓄積を情報端末で行うため、例えば山は昂揚感、又は逆にのんびり、といったように自分の感性に合わせてそれぞれの場所分類情報を設定することが容易である。
【０２４２】
また、環境変化情報が（サービス提供業者の）サーバ装置に蓄積されているので、業者が最新の情報を用意し提供しても良い。具体的には、ちょうどサッカーのＷ杯が開催されているならば、目的地としてサッカー場に向かう際に、日本チームの応援ソングがサーバ装置から情報端末に対して送信されると言う具合である。
【０２４３】
＜実施形態１０＞
【０２４４】
（実施形態１０の概念）
【０２４５】
図５１の（１０）は、本実施形態について車輌（側で利用される情報端末）とサーバ装置の有する大まかな機能を概略的に記載したものである。この図にあるように本実施形態では、場所の分類の決定及び、出力する環境変化情報の決定がサーバ装置で行われる。
【０２４６】
つまり、本実施形態は、実施形態８や実施形態９と同様に、サ−バ−クライアント型で環境変化情報を車輌内に出力する車輌内環境変化用システムである。そしてその特徴点は、車輌の現在位置などの場所の分類の特定と、その場所に応じた環境変化情報の取得との双方をサーバ装置が行う，と言う点である。従って、本実施形態の概念の一例としては、サーバ装置が、車輌の現在の走行場所を「森林」であると特定する。そしてさらにサーバ装置はその特定に基づいて「田園・第一楽章」の音楽デ−タをその車輌の情報端末に対して配信する、というものである。
【０２４７】
このように、情報端末は、場所分類情報のみならず環境変化情報を蓄積する必要がないため、ネットワ−ク接続機能さえあれば、本実施形態のシステムを構成する情報端末が既存の携帯電話などでも実施可能である。
【０２４８】
（実施形態１０の構成）
【０２４９】
図２８は、本実施形態の車輌内環境変化用システムの機能ブロックの一例を表す図である。この図にあるように、本実施形態の車輌内環境変化用システムは、「サ−バ装置」（２８１０）と、「情報端末」（２８２０）と、からなる。サーバ装置は（２８１０）は、「場所分類情報蓄積部」（２８１１）と、「環境変化情報蓄積部」（２８１２）と、「位置情報取得部」（２８１３）と、「場所分類情報取得部」（２８１４）と、「環境変化情報取得部」（２８１５）と、「環境変化情報送信部」（２８１６）と、を有する。また情報端末（２８２０）は、「位置情報出力部」（２８２１）と、「環境変化情報受信部」（２８２２）と、「環境変化情報出力部」（２８２３）と、を有する。ただし、本実施形態の概念で述べたように、システム全体の基本的な構成要件は実施形態８や実施形態９と同様であるとして説明を省略する。
【０２５０】
本実施形態と実施形態８との違いは、概念で述べたようにサーバ装置で車輌の場所や目的地の特定の上、さらにその場所に合った環境変化情報の選択が行われる（これに対して実施形態８では、場所の特定のみサーバ装置が行い、環境変化情報の選択は情報端末において行われる）、ということである。そのため本実施形態の構成要件には、下記のような特徴がある。
【０２５１】
まず、「環境変化情報蓄積部」（２８１１）と「環境変化情報取得部」（２８１５）とが情報端末ではなくサ−バ装置にある。ただし、環境変化情報蓄積部の具体的な説明などは、実施形態８の情報端末のものと同様であるとして説明は省略する。これにより、場所の特定（場所分類情報の取得）のみならず、環境変化情報の取得をサーバ装置が行うことができる。
【０２５２】
また、サ−バ装置の「場所分類情報送信部」と情報端末の「場所分類情報受信部」が無い。その代わりに、サ−バ装置は「環境変化情報送信部」（２８１６）を、情報端末は「環境変化情報受信部」（２８２１）を、それぞれ有する。
【０２５３】
これにより、本実施形態によっても車輌内の環境を変化させ、より快適なドライブを楽しむことができるようになる。また本実施形態の場合、情報端末は基本的に情報の送受信のみを行いデータの蓄積などを行う必要がないので、情報端末が既存の携帯電話などでも本実施形態の実施が可能である。
【０２５４】
（実施形態１０の処理の流れ）
【０２５５】
図２９に示すのは、本実施形態の車輌内環境変化用システムの処理の流れの一例を表すフローチャートである。この図にあるように、まず、情報端末が位置情報をサーバ装置に対して出力する（ステップＳ２９０１）。次に、サーバ装置が前記ステップＳ２９０１で出力された位置情報を取得する（ステップＳ２９０２）。続いて、サーバ装置が予め場所識別情報と関連付けて蓄積されている場所分類情報の中から、前記ステップＳ２９０２で取得した位置情報に基づいて場所分類情報を取得する（ステップＳ２９０３）。さらに、サーバ装置が予め場所分類情報と関連付けて蓄積されている環境変化情報の中から、前記ステップＳ２９０３で取得した場所分類情報に基づいて環境変化情報を取得する（ステップＳ２９０４）。続いて、サーバ装置が前記ステップＳ２９０４で取得した環境変化情報を情報端末に対して送信する（ステップＳ２９０５）。さらに、情報端末が前記ステップＳ２９０５で送信された環境変化情報を受信する（ステップＳ２９０６）。最後に、情報端末が前記ステップＳ２９０６で受信した環境変化情報を車輌内に出力する（ステップＳ２９０７）。
【０２５６】
（実施形態１０の効果の簡単な説明）
【０２５７】
このように、本実施形態の車輌内環境変化用システムによっても、実施形態７や８や９と同様に、車輌内の環境を現在走行中の場所や目的地に応じてさまざまなに変化させることができる。また前述のように、情報端末が場所分類情報のみならず環境変化情報を蓄積する必要がないため、ネットワ−ク接続機能さえあれば、本実施形態のシステムを構成する情報端末が既存の携帯電話などでも実施可能である。またサーバ装置を管理する業者が、場所に応じた最新のヒットナンバーや、最新の研究で判明した「落ち着かせる効果が高い香り」を調合するため原料の調合比の情報などをいちはやく提供することも容易である。
【０２５８】
＜実施形態１１＞
【０２５９】
（実施形態１１の概念）
【０２６０】
図５２の（１１）は、本実施形態について車輌（側で利用される装置）の有する大まかな機能を概略的に記載したものである。この図にあるように本実施形態は、実施形態７（図５１の（７））を基本として、さらに車輌の速度情報に合わせて車輌内環境を変化させる車輌内環境変化用装置である。本実施形態の概念の一例としては、車輌が都市部の高速道路を時速１００ｋｍで走っている時には、スピ−ド感のあるテクノミュ−ジックを出力し、その車輌が都市部の一般道に下りて時速４０ｋｍで走っている時にはテンポのゆっくりとしたテクノミュ−ジックが出力される、といった具合である。
【０２６１】
（実施形態１１の構成）
【０２６２】
図３０に示すのは、本実施形態の車輌内環境変化用装置の機能ブロックの一例を表す図である。この図にあるように、本実施形態の「車輌内環境変化用装置」（３０００）は、実施形態７を基本として、「場所分類情報蓄積部」（３００１）と、「位置情報取得部」（３００２）と、「場所分類情報取得部」（３００３）と、「環境変化情報蓄積部」（３００４）と、「環境変化情報取得部」（３００５）と、「環境変化情報出力部」（３００６）と、を有する。そして、特徴点として、「速度情報取得部」（３００７）、をさらに有する。
【０２６３】
「速度情報取得部」（３００７）は、速度情報を取得する機能を有する。「速度情報」とは、車輌の現在の速度を示す情報をいう。速度情報の具体例としては、スピ−ドメ−タ−に車速を表示するために利用される（トランスアクセルなどに取り付けられた）スピ−ドセンサ−によって測定された車輌の現在の速度が挙げられる。そのほかにも、ＧＰＳによって測定された車輌の現在の速度やオ−ビスなどによって測定された車輌の速度であっても良い。
【０２６４】
また、「環境変化情報蓄積部」（３５０４）は、環境変化情報をさらに速度情報と関連付けて蓄積し、「環境変化情報取得部」（３００５）は、前記場所分類情報に加えて、速度情報取得部（３００７）で取得した速度情報に基づいて環境変化情報を取得することも特徴とする。
【０２６５】
図３１に示すのは、環境変化情報の出力の具体例を説明するための図である。この図にあるように環境変化情報は、例えば所定の速度の範囲と場所分類情報と関連付けられて蓄積されている。現在車輌が時速１００ｋｍで都市部を走っているとする。すると取得された「時速１００ｋｍ」という速度情報と「都市部」という場所分類情報から、図３１の環境変化情報の中の該当する環境変化情報であるアップテンポなテクノミュ−ジックが選択され出力される、といった具合である。
【０２６６】
勿論、スピ−ドを出している時には事故など起こさないようあえてゆったりとしたテンポの曲を出力して落ち着くようにしても良い。あるいは脳のα波を発生させ気持ちを落ち着かせるとされる「ラベンダー」の香りを出力しても良い。または、色彩心理学で気持ちを落ち着かせるとされる「茶」や「青」色の照明が点灯するようにしても良い。
【０２６７】
その他にも、同じ曲でも速度によってリズムやテンポを変化させて出力してもよい。具体的には所定の速度ごとに所定のテンポが関連付けられており、場所分類情報に基づいて取得されたある楽曲が、現在の速度に合わせたテンポで出力されるよう音楽再生装置を制御する、といった具合である。この場合速度情報に関連付けられている環境変化情報は、再生する音楽のテンポを制御する情報（または、それに再生する音楽自体の情報も含む）であることが考えられる。
【０２６８】
また、現在走行中の道路の制限速度を越えているようならば、警告情報を出力したり自動的にブレーキをかけ制限速度以下になるようにしたりしても良い。
【０２６９】
（実施形態１１の処理の流れ）
【０２７０】
図３２に示すのは、本実施形態の車輌内環境変化用装置の処理の流れの一例を表すフロ−チャ−トである。この図に示すように、まず、位置情報を取得する（ステップＳ３２０１）。次に、予め場所識別情報と関連付けて蓄積している場所分類情報の中から、前記ステップＳ３２０１で取得した位置情報に基づいて場所分類情報を取得する（ステップＳ３２０２）。また、速度情報を取得する（ステップＳ３２０３）。次に、前記ステップＳ３２０２で取得した場所分類情報と、前記ステップＳ３２０３で取得した速度情報とに基づいて環境変化情報を取得する（ステップＳ３２０４）。最後に、前記ステップＳ３２０４で取得した環境変化情報を出力する（ステップＳ３２０５）。
【０２７１】
（実施形態１１の効果の簡単な説明）
【０２７２】
このように、速度の変化によってもさまざまに環境を変えることができる。それによって、スピ−ドを出した時にさらに気分を盛り上げることも可能であるし、あるいは逆に、スピ−ドを出している時に事故を起こさないように気分が落ちつくような環境に車輌内を変化させることも可能である。
【０２７３】
＜実施形態１２＞
【０２７４】
（実施形態１２の概念）
【０２７５】
図５２の（１２）は、本実施形態について車輌（側で利用される情報端末）とサーバ装置の有する大まかな機能を概略的に記載したものである。この図にあるように本実施形態は、実施形態１１と同様に、場所分類情報に加えて、速度情報も加味して環境変化情報を出力する車輌内環境変化用システムである。また本実施形態は、実施形態８（図５１の（８））を基本としているのでサ−バ−クライアント型のシステムであることも特徴である。従って本実施形態では、情報端末が、サ−バ装置より送信されてきた「都市部」という場所分類情報と、現在の時速「１００ｋｍ」という速度情報からアップテンポなテクノミュ−ジックを出力する。
【０２７６】
（実施形態１２の構成）
【０２７７】
図３３に示すのは、本実施形態の車輌内環境変化用システムの機能ブロックの一例を表す図である。この図にあるように、本実施形態は、実施形態８を基本として、「サ−バ装置」（３３１０）と、「情報端末」（３３２０）と、からなる。そして、サ−バ装置（３３１０）は、「場所分類情報蓄積部」（３３１１）と、「位置情報取得部」（３３１２）と、「場所分類情報取得部」（３３１３）と、「場所分類情報送信部」（３３１４）と、を有する。また情報端末（３３２０）は、「環境変化情報蓄積部」（３３２１）と、「位置情報出力部」（３３２２）と、「場所分類情報受信部」（３３２３）と、「環境変化情報取得部」（３３２４）と、「環境変化情報出力部」（３３２５）と、を有する。ただし、これら各構成要件についての説明は実施形態８に準ずるとして説明は省略し、以下に実施形態８との相違点のみ説明する。
【０２７８】
相違点として、まず情報端末が「速度情報取得部」（３３２６）を有する。ただし、この速度情報取得部（３３２６）は、実施形態１１で説明したものと同様のものであるので説明を省略する。また次の相違点は、情報端末の「環境変化情報取得部」（３３２４）が場所分類情報に加え、この速度情報取得部（３３２６）で取得された速度情報に基づいて環境変化情報を取得する点である。ただしこれも実施形態１１と同様である。また、「環境変化情報蓄積部」（３３２１）は、環境変化情報をさらに速度情報と関連付けて蓄積する。これは環境変化情報取得部（３３２４）で速度情報に基づいて環境変化情報を取得するためである。勿論この関連付けは、「時速１００ｋｍ（速度情報）とアップテンポの曲（環境変化情報）」といった関連付け以外に、「時速１００ｋｍと、ある曲のテンポを早くするよう音楽再生装置を制御するための情報」とが関連付けられていても良い。
【０２７９】
（実施形態１２の処理の流れ）
【０２８０】
図３４に示すのは、本実施形態の車輌内環境変化用システムの処理の流れの一例を表すフロ−チャ−トである。この図にあるように、まず、情報端末が位置情報をサーバ装置に対して出力する（ステップＳ３４０１）。次に、サーバ装置が前記ステップＳ３４０１で出力された位置情報を取得する（ステップＳ３４０２）。続いて、サーバ装置が予め場所識別情報と関連付けて蓄積されている場所分類情報の中から、前記ステップＳ３４０２で取得した位置情報に基づいて場所分類情報を取得する（ステップＳ３４０３）。さらに、サーバ装置が前記ステップＳ３４０３で取得した場所分類情報を情報端末に対して送信する（ステップＳ３４０４）。さらに、情報端末が前記ステップＳ３４０４で送信された場所分類情報を受信する（ステップＳ３４０５）。また、情報端末が速度情報を取得する（ステップＳ３４０６）。次に、情報端末が予め場所分類情報と速度情報と関連付けて蓄積されている環境変化情報の中から、前記ステップＳ３４０５で受信した場所分類情報と、前記ステップＳ３４０６で取得した速度情報とに基づいて環境変化情報を取得する（ステップＳ３４０７）。最後に、情報端末が前記ステップＳ３４０７で取得した環境変化情報を車輌内に出力する（ステップＳ３４０８）。
【０２８１】
（実施形態１２の効果の簡単な説明）
【０２８２】
このように、本実施形態によって実施形態１１同様、場所と速度の変化に合わせて車輌内の環境を変化させることができる。また、実施形態８と同様に、場所分類情報の蓄積をサ−バ装置に委ねることで、情報端末のデ−タ容量が少なくても本実施形態の車輌内環境変化用システムを実施することができる。
【０２８３】
＜実施形態１３＞
【０２８４】
（実施形態１３の概念）
【０２８５】
図５２の（１３）は、本実施形態について車輌（側で利用される情報端末）とサーバ装置の有する大まかな機能を概略的に記載したものである。この図にあるように本実施形態も、実施形態１１や実施形態１２と同様に場所分類情報に加えて、速度情報も加味して環境変化情報を出力する車輌内環境変化用システムである。また本実施形態は、実施形態９（図５１の（９））、又は１０（図５１の（１０））を基本としている。すなわち、実施形態１２と同じサ−バ−クライアント型のシステムであるが、実施形態１２と異なり環境変化情報がサ−バ装置において取得され情報端末に対して送信される点を特徴としている。
【０２８６】
（実施形態１３の構成）
【０２８７】
図３５に示すのは、本実施形態の車輌内環境変化用システムの機能ブロックの一例を表す図である。この図にあるように、本実施形態は、実施形態１０を基本として、「サ−バ装置」（３５１０）と、「情報端末」（３５２０）と、からなる。サーバ装置は（３５１０）は、「場所分類情報蓄積部」（３５１１）と、「環境変化情報蓄積部」（３５１２）と、「位置情報取得部」（３５１３）と、「場所分類情報取得部」（３５１４）と、「環境変化情報取得部」（３５１５）「環境変化情報送信部」（３５１６）と、を有する。また情報端末（３５２０）は、「位置情報出力部」（３５２１）と、「環境変化情報受信部」（３５２２）と、「環境変化情報出力部」（３５２３）と、を有する。ただし、各構成要件についての説明は実施形態１０に準ずるとして説明は省略する。
【０２８８】
また、本実施形態では、環境変化情報の取得がサ−バ装置で行われるので、以下のような特徴点を有する。すなわち情報端末（３５２０）が、速度情報を送信する「速度情報送信部」（３５２４）を有している点である。この速度情報送信部は、例えばインタ−ネット網を介して速度情報をサ−バ装置に対して送信する。ただし、この速度情報の取得に関する説明は、実施形態１１ですでにしているので省略する。
【０２８９】
そして、サ−バ装置（３５１０）は、この速度情報送信部（３５２４）から送信された速度情報を受信する「速度情報受信部」（３５１６）を有している。さらに、サ−バ装置の「環境変化情報蓄積部」（３５１１）は、環境変化情報をさらに速度情報と関連付けて蓄積する。また「環境変化情報取得部」（３５１５）は、場所分類情報に加え、この速度情報受信部（３５１６）で受信された速度情報に基づいて環境変化情報を送信する。
【０２９０】
（実施形態１３の処理の流れ）
【０２９１】
図３６に示すのは、本実施形態の車輌内環境変化用システムの処理の流れの一例を表すフローチャートである。この図にあるように、まず、情報端末が位置情報をサーバ装置に対して出力する（ステップＳ３６０１）。次に、サーバ装置が前記ステップＳ３６０１で出力された位置情報を取得する（ステップＳ３６０２）。続いて、サーバ装置が予め場所識別情報と関連付けて蓄積されている場所分類情報の中から、前記ステップＳ３６０２で取得した位置情報に基づいて場所分類情報を取得する（ステップＳ３６０３）。また、情報端末が速度情報をサーバ装置に対して送信する（ステップＳ３６０４）。続いて、サーバ装置が前記ステップ３６０４で送信された速度情報を受信する（ステップＳ３６０５）。さらに、サーバ装置が予め場所分類情報と速度情報と関連付けて蓄積されている環境変化情報の中から、前記ステップＳ３６０３で取得した場所分類情報と、前記ステップＳ３６０５で受信した速度情報とに基づいて環境変化情報を取得する（ステップＳ３６０６）。続いて、サーバ装置が前記ステップＳ３６０６で取得した環境変化情報を情報端末に対して送信する（ステップＳ３６０７）。さらに、情報端末が前記ステップＳ３６０７で送信された環境変化情報を受信する（ステップＳ３６０８）。最後に、情報端末が前記ステップＳ３６０８で受信した環境変化情報を車輌内に出力する（ステップＳ３６０９）。
【０２９２】
（実施形態１３の効果の簡単な説明）
【０２９３】
このように本実施形態によって、実施形態１１や実施形態１２と同様、場所と速度の変化に合わせて車輌内の環境を変化させることができる。また、実施形態１０を基本としたものならば、同様に情報端末にデ−タ容量の大きさを要求せずにすむので、情報端末は既存の携帯電話などの記憶容量の小さいモバイル端末でもよい。
【０２９４】
実施形態９を基本としたものならば、所定の場所の分類を自分の好みで行うことが容易である。
【０２９５】
＜実施形態１４＞
【０２９６】
（実施形態１４の概念）
【０２９７】
ドライバ−であるαはハ−ドロックが好きである。そのため普段からドライブ中にかける音楽は決まっており、お気に入りのロックバンドのＣＤしか車内には置いていない。しかし、今助手席に乗せている彼女はうるさい音楽が嫌いで、クラシックしか聞かない。そこでαは本実施形態の車輌内環境変化用装置で、彼女の好きなクラシックというジャンルを選択、入力する。この車輌内環境変化用装置は、その入力されたジャンルに基づいて（例えば外部の情報提供サ−バから）クラシック音楽である「アリア」のデ−タを受信し、「アリア」を出力する。
【０２９８】
このように、運転者やその同乗者の嗜好に応じた音楽が出力されて、快適なドライブをすることができる。また、本実施形態の車輌内環境変化用装置は、実施形態７とは異なり、場所の属性などでは無く、同乗者の嗜好に応じた音楽などが出力される。
【０２９９】
（実施形態１４の構成）
【０３００】
図３７に示すのは、本実施形態の車輌内環境変化用装置の機能ブロックの一例を表す図である。この図にあるように、本実施形態の「車輌内環境変化用装置」（３７００）は、「嗜好指定情報取得部」（３７０１）と、「環境変化情報出力部」（３７０２）と、を有する。また、この「環境変化情報出力部」を有していることから分かるように、本実施形態も実施形態７と同様に、音楽や映像、香りなどの環境変化情報を出力するための車輌内環境変化用装置である。そして本実施形態が実施形態７と異なっている点は前述のように、その場所の分類ではなく、車輌に乗る者の趣味や嗜好に応じて環境変化情報を出力する、という点である。
【０３０１】
「嗜好指定情報取得部」（３７０１）は、嗜好指定情報を取得する機能を有する。
【０３０２】
「嗜好指定情報」とは、車輌内環境に対する車輌に乗る者の好みに基づいて指定される情報をいう。車輌内環境は、前述したように色、音、臭いなどであり、それらに対する好みとは、「赤色が好き」や、「鳥のさえずりの音が好き」又は「ポップスが好き」、「海の香りが好き」などが挙げられる。従って嗜好指定情報とは、これらの好みに基づいた情報であり、色や香りの種類や、音楽のジャンルやア−ティストなどを指定するための情報が挙げられる。あるいは、「落ち着く香り」といった嗜好指定情報もありうる。このような場合、この嗜好指定情報と、様々な実験やデ−タなどから人が落ち着くと考えられる香り（例えばラベンダーやローズマリーなど）を識別するための情報とが関連付けられていればよい。
【０３０３】
図３８に示すのは、本実施形態の嗜好指定情報取得部での取得の一例を概略的に表す図である。この図にあるように、ディスプレイ上に嗜好指定情報を表す各項目がタッチパネルとして表示される。つまり実施形態１の運転希望情報取得部で説明したように、運転者などがその「落ち着く」のタッチパネルを触れることで嗜好指定情報として「落ち着く」が入力され、嗜好指定情報取得部で取得される。
【０３０４】
このようにして嗜好指定情報取得部で取得した嗜好指定情報に基づいて、車に乗る者の嗜好に応じた環境変化情報が「環境変化情報出力部」（３７０２）から出力される。この環境変化情報出力部は、上記実施形態７で説明したものと同様である。そして、上記実施形態７とは異なり場所の分類（場所分類情報）ではなく、車輌に乗る者の趣味や嗜好（嗜好指定情報）に応じて環境変化情報を出力する。例えば「落ち着ける香り」という嗜好指定情報が入力されたならば、「落ち着ける香り」と関連付けられた（アロマテラピ−の世界で、ストレスを和らげるとされる）バレリアンル−ト精油の香りを「芳香ボックス」から自動的に漂わせるための情報を出力する、といった具合である。
【０３０５】
勿論この環境変化情報が蓄積されているのは、本実施形態の装置の内部でもよいし、外部のサ−ビス提供者のサ−バ装置でもよい。
【０３０６】
（実施形態１４の処理の流れ）
【０３０７】
図３９に示すのは、本実施形態の車輌内環境変化用装置の処理の流れの一例を表すフロ−チャ−トである。この図に示すように、まず、嗜好指定情報を取得する（ステップＳ３９０１）。次に、前記ステップＳ３９０１で取得した嗜好指定情報に基づいて環境変化情報を出力する（ステップＳ３９０２）。
【０３０８】
（実施形態１４の効果の簡単な説明）
【０３０９】
以上のように、本実施形態の車輌内環境変化用装置によって、車輌に乗る者の趣味や嗜好に応じた環境変化情報が自動的に出力される。つまり車輌内の環境が、自分（又は同乗者）の嗜好に合ったものになるので、車輌に乗る者は楽しくドライブをすることができると考えられる。
【０３１０】
＜実施形態１５＞
【０３１１】
（実施形態１５の概念）
【０３１２】
本実施形態は、実施形態１４を基本として、運転者や同乗者の趣味嗜好に応じた環境変化情報である上に、さらに目的地や現在走行中の場所に応じた環境変化情報を出力する車輌内環境変化用装置である。この概念の一例を、具体例を挙げて説明すると、嗜好指定情報として「英語の歌」が入力され、今から向かう目的地が「野球場」であれば、「私を野球に連れてって」が出力される、という具合である。
【０３１３】
つまり、本実施形態は、実施形態１４を基本としつつ、さらに特徴点として実施形態７の機能をも有する車輌内環境変化用装置と言える。
【０３１４】
（実施形態１５の構成）
【０３１５】
図４０に示すのは、本実施形態の車輌内環境変化用装置の機能ブロックの一例を表す図である。この図にあるように、本実施形態の「車輌内環境変化用装置」（４０００）は、実施形態１４を基本として、「嗜好指定情報取得部」（４００１）と、「環境変化情報出力部」（４００２）と、を有する。そして、特徴点として、さらに「場所分類情報蓄積部」（４００３）と、「位置情報取得部」（４００４）と、「場所分類情報取得部」（４００５）と、を有する。
【０３１６】
ただし、上記概念の説明で記載したように、これら特徴点は実施形態７の機能と同様であるので各構成要件の説明は省略する。
【０３１７】
そして、嗜好指定情報取得部（４００１）で取得された嗜好指定情報と、場所分類情報取得部（４００５）で取得された場所分類情報とに基づいて環境変化情報出力部で環境変化情報を出力する。この出力する環境変化情報を選択するための方法の一例としては、環境変化情報に場所分類情報と嗜好指定情報とが関連付けられていてもよい。環境変化情報である「私を野球に連れてって」を出力するための情報に、「英語の曲（洋楽）」、「ワクワクする曲」、「楽しい曲」などの嗜好指定情報と、「野球」、「スポ−ツ」、「アメリカ」、「のどか」などの場所分類情報とが関連付けられている、といった具合である。このような関連付けがなされていれば、「環境変化情報出力部」（４００２）では、「英語の曲」（嗜好指定情報）と、「野球場」（場所識別情報）と関連付けられた「野球」（場所分類情報）と、を利用して「私を野球場に連れてって」を出力することが可能となる。
【０３１８】
（実施形態１５の処理の流れ）
【０３１９】
図４１に示すのは、本実施形態の車輌内環境変化用装置の処理の流れの一例を表すフロ−チャ−トである。この図にあるように、まず、嗜好指定情報を取得する（ステップＳ４１０１）。また、位置情報を取得する（ステップＳ４１０２）。続いて、前記ステップＳ４１０２で取得した位置情報に基づいて、予め場所識別情報と関連付けて蓄積されている場所分類情報を取得する（ステップＳ４１０３）。最後に、前記ステップＳ４１０１で取得した嗜好指定情報と、前記ステップＳ４１０３で取得した場所分類情報と、に基づいて環境変化情報を出力する（ステップＳ４１０４）。
【０３２０】
（実施形態１５の効果の簡単な説明）
【０３２１】
以上のように、本実施形態の車輌内環境変化用装置によって、車輌に乗る者の趣味や嗜好に応じた上に、さらに現在地や目的地にも応じた環境変化情報が自動的に出力することができる。このようにして運転者や同乗者は、例えば試合を観戦するため野球場に行くまでに、野球を見るという気分を盛り上げることができると考えられる。
【０３２２】
＜実施形態１６＞
【０３２３】
（実施形態１６の概念）
【０３２４】
運転者であるαは今恋人とドライブをしている。そのときαはそのデ−トを楽しくするためにも恋人のテンションを上げたいと考える。そこで、本実施形態の車輌内環境変化用装置に、「（今、車に同乗しているのは）恋人」という項目を選択、入力する。すると車輌内の照明の色が赤い暖色系に変化して、恋人の心拍数を高めたりアドレナリンの分泌をよくしたりする（これらの現象は、その赤色が及ぼす生理作用である）。このようにして、恋人を軽い興奮状態にしてテンションを高めることができる。
【０３２５】
あるいは、上司といっしょに車に乗っているのならば運転者は本実施形態の車輌内環境変化用装置に、「上司」という項目を選択、入力する。すると、車輌内の照明の色が青い寒色系に変化して（その青色が及ぼす生理作用により）上司の気持ちを落ち着かせることができる。
【０３２６】
（実施形態１６の構成）
【０３２７】
図４２に示すのは、本実施形態の車輌内環境変化用装置の機能ブロックの一例を表す図である。この図にあるように、本実施形態の車輌内環境変化用装置（４２００）は、「同乗者情報取得部」（４２０１）と、「環境変化情報出力部」（４２０２）と、を有する。このように「環境変化情報出力部」を有していることから、本実施形態も、実施形態７又は１５と同様に、音楽や映像、香りなどの環境変化情報を出力する機能を有する。そして本実施形態が実施形態７又は１５と異なっている点は、場所の分類や趣味や嗜好ではなく、同乗者の属性や同乗者と運転者との関係に応じて環境変化情報を出力する、という点である。
【０３２８】
「同乗者情報取得部」（４２０１）は、同乗者情報を取得する機能を有する。「同乗者情報」とは、同乗者を識別するための識別子、同乗者の人数、同乗者の性別、同乗者の年齢又は年齢層、運転者と同乗者との関係のいずれか一又は二以上の情報をいう。ただし「同乗者を識別するための識別子」は、予めこの識別子と、その他の同乗者情報やその同乗者の嗜好指定情報とが関連付けて蓄積してあるデ−タベ−スが必要である。例えば、同乗者情報取得部でこの識別子である「恋人の名前」や電話の短縮ダイアルのような「＃１」を取得すると、上記のデ−タベ−スからその恋人の年齢や性別といったその他の同乗者情報や恋人の嗜好指定情報が取得される、という具合である。また「運転者と同乗者との関係」とは、両者の社会的又は法律的な関係であり、その例としては、友達、知り合い、恋人、夫婦、親子、親戚、上司・部下などが挙げられる。
【０３２９】
図４３に示すのは、本実施形態の同乗者情報取得部での取得の一例を概略的に表す図である。この図にあるように、ディスプレイ上に同乗者情報を表す各項目が表示され、チェックボックスでチェックできるようになっている。そして運転者が同乗者に対して該当するチェックボックスをオンにすることで同乗者情報が入力され、取得される。
【０３３０】
このようにして同乗者情報取得部で取得した同乗者情報に基づいて、「環境変化情報出力部」（４２０２）で環境変化情報が出力される。勿論この環境変化情報出力部は、上記実施形態７で説明したものと同様であるが、異なる点は、同乗者の属性や同乗者と運転者との関係に応じて環境変化情報を出力する点である。
【０３３１】
勿論この環境変化情報が蓄積されているのは、本実施形態の装置の内部でもよいし、外部のサ−ビス提供者のサ−バ装置でもよい。
【０３３２】
（実施形態１６の処理の流れ）
【０３３３】
図４４に示すのは、本実施形態の車輌内環境変化用装置の処理の流れの一例を表すフロ−チャ−トである。この図に示すように、まず、同乗者情報を取得する（ステップＳ４４０１）。次に、前記ステップＳ４４０１で取得した同乗者情報に基づいて環境変化情報を出力する（ステップＳ４４０２）。
【０３３４】
（実施形態１６の効果の簡単な説明）
【０３３５】
以上のように、本実施形態の車輌内環境変化用装置によって、同乗者の属性や運転者と同乗者との関係に応じた環境変化情報を出力することができる。従って、車輌内という狭い空間の中で一緒に居る同乗者の気分を損ねずに済み、運転の時間中、運転者と同乗者の関係性を良好に保つことができると考えられる。
【０３３６】
＜実施形態１７＞
【０３３７】
（実施形態１７の概念）
【０３３８】
本実施形態は、実施形態１６を基本として、同乗者の属性やその関係に応じた環境変化情報である上に、さらに目的地や現在走行中の場所に応じた環境変化情報を出力する車輌内環境変化用装置である。具体的には、家族でテ−マパ−クに行く場合に、そのテ−マパ−クのテ−マソングの中から家族で楽しめるようなマ−チソングが出力されるといった具合である。
【０３３９】
つまり、本実施形態も、実施形態１６を基本としつつ、特徴点として実施形態７の機能をも有する車輌内環境変化用装置である。
【０３４０】
（実施形態１７の構成）
【０３４１】
図４５に示すのは、本実施形態の車輌内環境変化用装置の機能ブロックの一例を表す図である。この図にあるように、本実施形態の車輌内環境変化用装置は、実施形態１６を基本として、「同乗者情報取得部」（４５０１）と、「環境変化情報出力部」（４５０２）と、を有する。そして、特徴点として、さらに、「場所分類情報蓄積部」（４５０３）と、「位置情報取得部」（４５０４）と、「場所分類情報取得部」（４５０５）と、を有する。ただし、これら特徴点は実施形態７の機能と同様であるので、特徴点となるそれぞれの構成要件の説明は省略する。
【０３４２】
そして、同乗者情報取得部（４５０１）で取得された同乗者情報と、場所分類情報取得部（４５０５）で取得された場所分類情報とに基づいて環境変化情報出力部（４５０２）で環境変化情報を出力する。
【０３４３】
（実施形態１７の処理の流れ）
【０３４４】
図４６に示すのは、本実施形態の車輌内環境変化用装置の処理の流れの一例を表すフロ−チャ−トである。この図に示すように、まず、同乗者情報を取得する（ステップＳ４６０１）。また、位置情報を取得する（ステップＳ４６０２）。続いて、前記ステップＳ４６０２で取得した位置情報に基づいて、予め場所識別情報と関連付けて蓄積されている場所分類情報を取得する（ステップＳ４６０３）。最後に、前記ステップＳ４６０１で取得した同乗者情報と、前記ステップＳ４６０３で取得した場所分類情報と、に基づいて環境変化情報を出力する（ステップＳ４６０４）。
【０３４５】
（実施形態１７の効果の簡単な説明）
【０３４６】
以上のように、本実施形態の車輌内環境変化用装置によって、同乗者の属性やその関係に応じた上に、さらに現在地や目的地にも応じた環境変化情報を自動的に出力することができる。このようにして運転者と同乗者はお互いの関係を良好に保ったまま、さらに現在走行中の場所や目的地に合った気分になることできると考えられる。
【０３４７】
＜実施形態１８＞
【０３４８】
（実施形態１８の概念）
【０３４９】
本実施形態は、上記実施形態１で説明した「経路検索装置」、並びに実施形態７、実施形態１４、実施形態１６において説明した「車輌内環境変化用装置」の機能を併せ持つ車輌内環境変化用装置である。即ち、本実施形態の概念の一例は、まず、運転者が「燃費がいい」（運転希望情報）という項目をディスプレイ上のタッチパネルから選択し、さらに、目的地情報も入力して燃費がいい目的地までの経路である「湾岸沿いの経路」を検索させる。続いて、「洋楽」（嗜好指定情報）や「恋人」（同乗者情報）といった項目をさらにタッチパネルで選択し入力する。すると、本実施形態の車輌内環境変化用装置から「海辺での恋愛をテ−マにした洋楽」が出力される、と言う具合である。
【０３５０】
（実施形態１８の構成）
【０３５１】
図４７に示すのは、本実施形態の車輌内環境変化用装置の機能ブロックの一例を表す図である。この図にあるように、本実施形態の「車輌内環境変化用装置」（４７００）は、「目的地情報取得部」（４７０１）と、「出発地情報取得部」（４７０２）と、「運転希望情報取得部」（４７０３）と、「地図情報蓄積部」（４７０４）と、「希望経路検索部」（４７０５）と、「搭乗者関連情報取得部」（４７０６）と、「環境変化情報出力部」（４７０７）と、を有する。
【０３５２】
ただし上記概念で記載したように、本実施形態は、上記実施形態１や実施形態７、実施形態１４、実施形態１６の機能を併せ持つ車輌内環境変化用装置である。従って、「目的地情報取得部」（４７０１）と、「出発地情報取得部」（４７０２）と、「運転希望情報取得部」（４７０３）と、「地図情報蓄積部」（４７０４）と、「希望経路検索部」（４７０５）は実施形態１において説明したものと同様である。
【０３５３】
また、「搭乗者関連情報取得部」（４７０６）は、嗜好指定情報又は及び同乗者情報を取得する機能を有する。つまり、実施形態１４で説明した「嗜好指定情報取得部」と、実施形態１６で説明した「同乗者情報取得部」と、やはり同様である。
【０３５４】
そして、「環境変化情報出力部」（４７０７）において、希望経路検索部（４７０５）での検索結果である経路情報と、搭乗者関連情報取得部（４７０６）で取得した嗜好指定情報又は及び同乗者情報とに基づいて環境変化情報を出力する。
【０３５５】
ここで出力される環境変化情報の選択に関しては、例えば他の実施形態で説明したように、環境変化情報が、嗜好指定情報と同乗者情報と関連付けて装置内部又は外部のサ−バの蓄積部に蓄積されていてもいい。そして取得した嗜好指定情報（「洋楽」）又は及び同乗者情報（「恋人」）を利用して、その蓄積部から環境変化情報（「洋楽であり、恋愛をテ−マにした曲」）を取得する。
【０３５６】
また、「経路情報に基づく環境変化情報」についても、基本的には、実施形態７で説明したように、場所分類情報と環境変化情報との関連付けによって実施できる。即ち、経路を示す情報である経路情報と、その経路沿いの場所の場所分類情報とを関連付けて蓄積しておく。そして希望経路検索部で検索された目的地までの経路（「海岸沿いの道路」）から、その経路沿いの場所の場所分類情報（「海岸」）を取得する。続いて、上記のように選択された「洋楽であり、恋愛をテ−マにした曲」の中から、その場所分類情報と関連付けられた環境変化情報（「海辺での恋愛をテ−マにした洋楽」）を絞り込み、絞り込んだ楽曲を車輌内に出力する。
【０３５７】
このようにして、本実施形態の車輌内環境変化用装置は、目的地までの経路情報と、嗜好指定情報又は及び同乗者情報に基づく環境変化情報を出力することができる。
【０３５８】
（実施形態１８の処理の流れ）
【０３５９】
図４８に示すのは、本実施形態の車輌内環境変化用装置の処理の流れの一例を表すフロ−チャ−トである。この図に示すように、まず、目的地情報を取得する（ステップＳ４８０１）。また出発地情報を取得する（ステップＳ４８０２）。また、運転希望情報を取得する（ステップＳ４８０３）。続いて、前記ステップＳ４８０１で取得した目的地情報と、前記ステップＳ４８０２で取得した目的地情報と、前記ステップＳ４８０３で取得した運転希望情報と、予め蓄積されている地図情報と、に基づいて、目的地までの経路を検索する（ステップＳ４８０４）。また、嗜好指定情報又は及び同乗者情報を取得する（ステップＳ４８０５）。最後に、前記ステップＳ４８０４での検索結果である経路情報と、前記ステップＳ４８０５で取得した嗜好指定情報又は及び同乗者情報とに基づいて環境変化情報を出力する（ステップＳ４８０６）。
【０３６０】
（実施形態１８の効果の簡単な説明）
【０３６１】
以上のように、本実施形態の車輌内環境変化用装置によって、運転者の様々な希望に沿った経路検索ができる。さらに、その希望に沿った経路に合った音楽や照明、香りなどが自動的に出力され、またその音楽や照明、香りなどは、自分の趣味嗜好や同乗者の属性やその関係などに応じたものが出力される。従って、車に乗る者は、その運転の仕方に関しても、また自分の趣味や同乗者との関係においても満足してドライブを楽しむことができる、と考えられる。
【０３６２】
＜実施形態１９＞
【０３６３】
本実施形態は、上記説明した車輌内環境変化用装置、又は車輌内環境変化用システムを基本としている。そして、その特徴点としては、環境変化情報が、映像・音楽（音声）・香り、室内温度、メ−タ−や室内の照明の明るさ、照明の色、座席のマッサ−ジ器の強弱、座席のマッサ−ジ器の角度、窓の開閉のいずれか一又は二以上であることである。
【０３６４】
「室内温度」については、例えば「（年齢が）６０代」という同乗者情報と、（冬には）温度を２５度に保つという環境変化情報と関連付けられていてもよい。そうすれば、６０歳の老人も快適にドライブに参加できる。（何故ならば、老人は一般的に温度変化による体温や血圧の変化が大きく冷房病になりやすいためである。）
【０３６５】
「座席のマッサ−ジ器の強弱」及び「座席のマッサ−ジ器の角度」については、例えば場所分類情報である「坂道」と、同乗者情報である「α（人の名前）」という同乗者識別子と、αさんの体型に合わせたマッサ−ジ器の角度や強弱の情報とを関連付けたデ−タベ−スが構築されている。そして、「α」という同乗者識別子と、上記角度や強さにマッサ−ジ器を調節する環境変化情報と関連付けられていてもよい。そうすればαさんは自分に合った角度や強さのマッサ−ジ器で窮屈な車内にいる疲れを取りながらドライブを楽しむことができる。
【０３６６】
「窓の開閉」については、場所分類情報である「杉林付近」と、窓を完全に閉めるようにする環境変化情報と関連付けられていてもよい。そうすれば花粉症の運転者が知らずに杉林の中をドライブ中でも快適に運転することができる。
【０３６７】
「音楽（音声）」・「香り」、「メ−タ−や室内の照明の色」については、上記他の実施形態で例示したような構成と効果が考えられる。また「映像」や「照明の明るさ」に関しても上記音楽や照明の色と同様の構成と効果が考えられる。
【０３６８】
（集団によるドライブとホスト装置）
【０３６９】
なお、本明細書における経路検索装置又は車輌内環境変化用装置は、複数台の装置が無線ネットワ−クによって結ばれていて、ホスト装置による検索結果や出力結果が他の装置にも送信されてもよい。具体的に説明すると、例えばサ−クルの仲間が３台の車輌に分乗してドライブに出かける。その際、３台の車の運転者がてんでばらばらに自分の希望に沿った経路を検索したら、せっかくのサ−クルのドライブなのに別々のル−トを通るはめになる。そこでホスト装置を決めておき、そのホスト装置の経路検索結果が検索結果送信部から無線ネットワ−クを通じて送信され、その他の車輌の装置に受信され表示されると、ドライブに参加する全車輌が同一の経路を選択できるので便利である。また、環境変化情報についても同様にして、集団内を同じような気分にしてドライブを楽しめるようにしてもよい。
【０３７０】
【発明の効果】
以上のように、本発明の経路検索装置によって、運転者は自らの様々な希望に応じた経路を検索することができる。また、本発明の車輌内環境変化用装置によって、運転者や同乗者の嗜好、あるいは同乗者の属性や運転者と同乗者との関係に応じた車輌内環境の変化を行うことができる。これにより、自動車を快適に運転することができるようになる。
【図面の簡単な説明】
【図１】実施形態１の経路検索装置によるル−ト検索を概念的に説明するための図
【図２】実施形態１の経路検索装置の機能ブロックの一例を表す図
【図３】実施形態１の運転希望情報取得部での取得の一例を概略的に表す図
【図４】実施形態１の希望経路検索部での目的地までの経路の検索について説明するための図
【図５】実施形態１の経路検索装置の処理の流れの一例を表すフロ−チャ−ト
【図６】実施形態２の経路検索システムによるル−ト検索を概念的に表す図
【図７】実施形態２の経路検索システムの機能ブロックの一例を表す図
【図８】実施形態２の搭乗者情報蓄積部に蓄積されている搭乗者情報と搭乗者識別情報の一例を説明するための図
【図９】実施形態２の経路検索システムの処理の流れの一例を表すフロ−チャ−ト
【図１０】実施形態３の経路検索システムの機能ブロックの一例を表す図
【図１１】実施形態３の経路検索システムの処理の流れの一例を表すフロ−チャ−ト
【図１２】実施形態４の経路検索装置の機能ブロックの一例を表す図
【図１３】実施形態４の経路検索装置の処理の流れの一例を表すフロ−チャ−ト
【図１４】実施形態５の経路検索システムの機能ブロックの一例を表すための図
【図１５】実施形態５の経路検索システムの処理の流れの一例を表すフロ−チャ−ト
【図１６】実施形態６の経路検索システムの機能ブロックの一例を表す図
【図１７】実施形態６の経路検索システムの処理の流れの一例を表すフロ−チャ−ト
【図１８】実施形態７の車輌内環境変化用装置の概念の一例を表す図
【図１９】実施形態７の車輌内環境変化用装置の機能ブロックの一例を表す図
【図２０】実施形態７の場所分類情報蓄積部での場所識別情報と場所分類情報の関連付けの一例を説明するための図
【図２１】実施形態７の場所分類情報の具体的な取得方法の一例について説明するための図
【図２２】実施形態７の環境変化情報蓄積部で蓄積されている場所分類情報と環境変化情報の一例を説明するための図
【図２３】実施形態７の車輌内環境変化用装置の処理の流れの一例を表すフロ−チャ−ト
【図２４】実施形態８の車輌内環境変化用システムの機能ブロックの一例を表す図
【図２５】実施形態８の車輌内環境変化用システムの処理の流れの１例を表すフロ−チャ−ト
【図２６】実施形態９の車輌内環境変化用システムの機能ブロックの一例を表す図
【図２７】実施形態９の車輌内環境変化用システムの処理の流れの一例を表すフローチャート
【図２８】実施形態１０の車輌内環境変化用システムの機能ブロックの一例を表す図
【図２９】実施形態１０の車輌内環境変化用システムの処理の流れの一例を表すフローチャート
【図３０】実施形態１１の車輌内環境変化用装置の機能ブロックの一例を表す図
【図３１】実施形態１１の環境変化情報の出力の具体例を説明するための図
【図３２】実施形態１１の車輌内環境変化用装置の処理の流れの一例を表すフロ−チャ−ト
【図３３】実施形態１２の車輌内環境変化用システムの機能ブロックの一例を表す図
【図３４】実施形態１２の車輌内環境変化用システムの処理の流れの一例を表すフロ−チャ−ト
【図３５】実施形態１３の車輌内環境変化用システムの機能ブロックの一例を表す図
【図３６】実施形態１３の車輌内環境変化用システムの処理の流れの一例を表すフローチャート
【図３７】実施形態１４の車輌内環境変化用装置の機能ブロックの一例を表す図
【図３８】実施形態１４の嗜好指定情報取得部での取得の一例を概略的に表す図
【図３９】実施形態１４の車輌内環境変化用装置の処理の流れの一例を表すフロ−チャ−ト
【図４０】実施形態１５の車輌内環境変化用装置の機能ブロックの一例を表す図
【図４１】実施形態１５の車輌内環境変化用装置の処理の流れの一例を表すフロ−チャ−ト
【図４２】実施形態１６の車輌内環境変化用装置の機能ブロックの一例を表す図
【図４３】実施形態１６の同乗者情報取得部での取得の一例を概略的に表す図
【図４４】実施形態１６の車輌内環境変化用装置の処理の流れの一例を表すフロ−チャ−ト
【図４５】実施形態１７の車輌内環境変化用装置の機能ブロックの一例を表す図
【図４６】実施形態１７の車輌内環境変化用装置の処理の流れの一例を表すフロ−チャ−ト
【図４７】実施形態１８の車輌内環境変化用装置の機能ブロックの一例を表す図
【図４８】実施形態１８の車輌内環境変化用装置の処理の流れの一例を表すフロ−チャ−ト
【図４９】実施形態１乃至３の車輌やサーバ装置の有する機能を概略的に記載し説明するための図
【図５０】実施形態４乃至６の車輌やサーバ装置の有する機能を概略的に記載し説明するための図
【図５１】実施形態７乃至１０の車輌やサーバ装置の有する機能を概略的に記載し説明するための図
【図５２】実施形態１１乃至１３の車輌やサーバ装置の有する機能を概略的に記載し説明するための図
【符号の説明】
０２００  経路検索装置
０２０１  目的地情報取得部
０２０２  出発地情報取得部
０２０３  運転希望情報取得部
０２０４  地図情報蓄積部
０２０５  希望経路検索部
【図１】
2004212160.tif 000003
【図２】
2004212160.tif 000004
【図３】
2004212160.tif 000005
【図４】
2004212160.tif 000006
【図５】
2004212160.tif 000007
【図６】
2004212160.tif 000008
【図７】
2004212160.tif 000009
【図８】
2004212160.tif 000010
【図９】
2004212160.tif 000011
【図１０】
2004212160.tif 000012
【図１１】
2004212160.tif 000013
【図１２】
2004212160.tif 000014
【図１３】
2004212160.tif 000015
【図１４】
2004212160.tif 000016
【図１５】
2004212160.tif 000017
【図１６】
2004212160.tif 000018
【図１７】
2004212160.tif 000019
【図１８】
2004212160.tif 000020
【図１９】
2004212160.tif 000021
【図２０】
2004212160.tif 000022
【図２１】
2004212160.tif 000023
【図２２】
2004212160.tif 000024
【図２３】
2004212160.tif 000025
【図２４】
2004212160.tif 000026
【図２５】
2004212160.tif 000027
【図２６】
2004212160.tif 000028
【図２７】
2004212160.tif 000029
【図２８】
2004212160.tif 000030
【図２９】
2004212160.tif 000031
【図３０】
2004212160.tif 000032
【図３１】
2004212160.tif 000033
【図３２】
2004212160.tif 000034
【図３３】
2004212160.tif 000035
【図３４】
2004212160.tif 000036
【図３５】
2004212160.tif 000037
【図３６】
2004212160.tif 000038
【図３７】
2004212160.tif 000039
【図３８】
2004212160.tif 000040
【図３９】
2004212160.tif 000041
【図４０】
2004212160.tif 000042
【図４１】
2004212160.tif 000043
【図４２】
2004212160.tif 000044
【図４３】
2004212160.tif 000045
【図４４】
2004212160.tif 000046
【図４５】
2004212160.tif 000047
【図４６】
2004212160.tif 000048
【図４７】
2004212160.tif 000049
【図４８】
2004212160.tif 000050
【図４９】
2004212160.tif 000051
【図５０】
2004212160.tif 000052
【図５１】
2004212160.tif 000053
【図５２】
2004212160.tif 000054